(57)【特許請求の範囲】
【請求項１】
通信手段を介して複数の受験者がそれぞれ個々に利用する複数の端末装置と相互に接続されているコンピュータによって前記受験者に対する試験を実施する試験実施方法において、
個別設問内容情報抽出手段が、全ての前記受験者に対して必ず出題される個々の設問内容を示す固定個別設問内容情報と、任意に選択される個々の設問内容を示す選択個別設問内容情報とから構成される選択個別設問内容情報が格納されている記録装置から所定数の前記固定個別設問内容情報を抽出する固定問題抽出処理を行うと共に、前記記録装置から所定数の前記選択個別設問内容情報を抽出する選択問題抽出処理を所定の必要数に応じた回数繰り返し行う個別設問内容情報抽出ステップと、
試験問題生成手段が、前記個別設問内容情報抽出ステップにおいて前記選択問題抽出処理が行われる毎に、前記固定問題抽出処理で抽出された前記固定個別設問内容情報と１回の前記選択問題抽出処理で抽出された前記選択個別設問内容情報とに示される前記個々の設問内容の出題順序の並べ替えを行い、前記必要数分の試験問題を生成し、前記記録装置に格納する試験問題生成ステップと、
試験問題情報配信手段が、前記端末装置からアクセスがあり前記受験者の学籍番号が提供されると、前記試験問題生成ステップにおいて生成された複数の前記試験問題のうちの１つを試験問題情報として前記記録装置から抽出するとともに、学生の学籍番号と当該学生の秘密情報とを含む複数の学生情報が格納された学生情報記憶手段から前記受験者の学籍番号を検索キーとして前記学生情報を検索し、検索された前記学生情報の前記秘密情報を前記学生情報記憶手段から抽出し、抽出した前記試験問題情報と前記秘密情報とを前記通信手段を介して前記端末装置に送信し、送信した前記試験問題情報に示される前記試験問題の内容を、送信した前記秘密情報とともに前記端末装置に表示させる試験問題情報配信ステップと、
解答内容情報取得手段が、前記試験問題情報配信ステップにおいて前記端末装置に表示させた前記試験問題の内容に対し、前記受験者により前記端末装置へ入力された解答内容を示す解答内容情報を、前記通信手段を介して取得する解答内容情報取得ステップと、
を有することを特徴とする試験実施方法。
【請求項２】
前記固定個別設問内容情報および複数の前記選択個別設問内容情報に示される前記個々の設問内容は、
複数の選択肢の中から正しい選択肢を選び出すことによって解答を行う多肢選択式の設問内容であり、
前記試験問題生成ステップは、
前記試験問題を生成する際に、前記個別設問内容情報抽出ステップにおいて抽出された複数の前記固定個別設問内容情報および複数の前記選択個別設問内容情報に示される前記個々の設問内容が有する前記選択肢の配列を並べ替える、
ことを特徴とする請求項１記載の試験実施方法。
【請求項３】
前記試験問題情報配信ステップは、
前記試験問題の内容を前記端末装置に１問ずつ表示させ、
前記解答内容情報取得ステップは、１問ずつ表示させた前記試験問題に対し、前記受験者により前記端末装置へ入力された前記解答内容情報を、１問毎に前記通信手段を介して取得し前記記録装置へ格納する、
ことを特徴とする請求項１記載の試験実施方法。
【請求項４】
前記解答内容情報取得ステップにおいて一旦格納した前記解答内容情報は修正を受け付けないことを特徴とする請求項３記載の試験実施方法。
【発明の詳細な説明】
【０００１】
【発明の属する技術分野】
本発明は、通信手段を用い、コンピュータによって受験者に対する試験を実施する試験実施方法に関し、特に、受験者の不正を防止しつつ試験を実施する試験実施方法に関する。
【０００２】
【従来の技術】
近年における終身雇用の崩壊、技術の進歩発展に伴う業務内容の高度化、交通や通信の発達に伴う国際化の進展等に伴い、社会に出た後も主体的に学習を行い、自己啓発や生活の向上を行っていこうとする生涯学習への要求が高まっている。このような中、大学等では、広く一般に多様な分野における高度な教育を受ける機会を提供し、このような要求に答えていこうとする気風も高まっており、特に、近年におけるインターネット等の情報通信網の普及・発達に伴い、インターネット等の通信手段を用い、家庭に居ながら大学での授業を受けることができる教育システムの実用化も進められている。
【０００３】
【発明が解決しようとする課題】
しかし、従来の通信手段を用いた教育システムでは、不正を適切に防止しつつ、各種試験を行うことが困難であったという問題点がある。
【０００４】
例えば、通常、大学において行われる単位取得試験は、試験会場となる教室等に学生を集め、試験中における不正がないように、試験官によって受験生を監視しつつ行われることが一般的である。しかし、インターネット等の通信手段を用いた試験方法では、受験している学生の状況を監視することができないため、学生間における解答の教え合い等を防止することが困難である。
【０００５】
本発明はこのような点に鑑みてなされたものであり、受験中の学生の状況を監視することができない通信手段を用いた試験において、試験時における学生の不正を効果的に防止することが可能な試験実施方法を提供することを目的とする。
【０００６】
【課題を解決するための手段】
本発明では上記課題を解決するために、図１に例示する、通信手段を介して複数の受験者がそれぞれ個々に利用する複数の端末装置と相互に接続されているコンピュータによって受験者４に対する試験を実施する試験実施方法において、個別設問内容情報抽出手段が、全ての前記受験者に対して必ず出題される個々の設問内容を示す固定個別設問内容情報と、任意に選択される個々の設問内容を示す選択個別設問内容情報とから構成される選択個別設問内容情報が格納されている記録装置１ａから所定数の前記固定個別設問内容情報を抽出する固定問題抽出処理を行うと共に、前記記録装置から所定数の前記選択個別設問内容情報を抽出する選択問題抽出処理を所定の必要数に応じた回数繰り返し行う個別設問内容情報抽出ステップ（ステップＳ１０１）と、試験問題生成手段が、前記個別設問内容情報抽出ステップ（ステップＳ１０１）において前記選択問題抽出処理が行われる毎に、前記固定問題抽出処理で抽出された前記固定個別設問内容情報と１回の前記選択問題抽出処理で抽出された前記選択個別設問内容情報とに示される前記個々の設問内容の出題順序の並べ替えを行い、前記必要数分の試験問題を生成し、前記記録装置に格納する試験問題生成ステップ（ステップＳ１０２）と、試験問題情報配信手段が、前記端末装置からアクセスがあると、前記試験問題生成ステップ（ステップＳ１０２）において生成された複数の前記試験問題のうちの１つを試験問題情報として前記記録装置から抽出し、前記通信手段を介して前記端末装置２に送信し、送信した前記試験問題情報に示される前記試験問題の内容を前記端末装置２に表示させる試験問題情報配信ステップ（ステップＳ１０３）と、解答内容情報取得手段が、前記試験問題情報配信ステップ（ステップＳ１０３）において前記端末装置２に表示させた前記試験問題の内容に対し、前記受験者４により前記端末装置２へ入力された解答内容を示す解答内容情報を、前記通信手段を介して取得する解答内容情報取得ステップ（ステップＳ１０４）と、を有することを特徴とする試験実施方法が提供される。
【０００７】
ここで、個別設問内容情報抽出ステップ（ステップＳ１０１）は、記録装置１ａから複数の固定個別設問内容情報の抽出処理と所定の必要数に応じた回数の複数の選択個別設問内容情報の抽出処理とを行い、試験問題生成ステップ（ステップＳ１０２）は、個別設問内容情報抽出ステップ（ステップＳ１０１）において抽出された複数の固定個別設問内容情報と１回の選択問題抽出処理で抽出された選択個別設問内容情報とに示される個々の設問内容の出題順序の並べ替えを行い、必要数分の試験問題を生成する。また、試験問題情報配信ステップ（ステップＳ１０３）は、試験問題生成ステップ（ステップＳ１０２）において生成された複数の試験問題のうちの１つを試験問題情報として、通信手段を介し、受験者４が利用する端末装置２に送信し、送信した試験問題情報に示される試験問題の内容を端末装置２に表示させ、解答内容情報取得ステップ（ステップＳ１０４）は、試験問題情報配信ステップ（ステップＳ１０３）において端末装置２に表示させた試験問題の内容に対し、受験者４によって、端末装置２へ入力された解答内容を示す解答内容情報を、通信手段を介して取得する。
【０００９】
また、本発明における試験実施方法において、好ましくは、個別設問内容情報に示される個々の設問内容は、複数の選択肢の中から正しい選択肢を選び出すことによって解答を行う多肢選択式の設問内容であり、試験問題生成ステップは、個別設問情報抽出ステップにおいて抽出された複数の個別設問内容情報に示される個々の設問内容によって構成され、個々の設問内容が有する選択肢の配列が並び替えられた試験問題を生成する。
【００１０】
また、本発明における試験実施方法において、好ましくは、試験問題情報配信ステップは、受験者に関する秘密情報を、試験問題情報とともに、通信手段を介し、端末装置に送信し、送信した秘密情報の内容を、試験問題情報に示される内容とともに、端末装置に表示させる。
【００１２】
【発明の実施の形態】
以下、本発明の実施の形態を図面を参照して説明する。
まず、本形態における試験実施方法の概要について説明し、その後、その詳細を説明していく。
【００１３】
図１は、本形態における試験実施方法の概要を例示した概念図である。
図１に例示するように、本形態における試験実施方法は、例えば、試験実施のための各種処理を行う試験実施装置１、及び試験を受験する受験者４が利用する端末装置２によって実現される。
【００１４】
図１に例示するように、例えば、試験実施装置１が有する記録装置１ａには、個々の設問内容を示す複数の個別設問内容情報３ａ〜３ｇが格納されている。試験の実施を行う場合、まず、この試験実施装置１は、例えば、記録装置１ａから複数の個別設問内容情報を抽出し（ステップＳ１０１）、抽出した複数の個別設問内容情報に示される個々の設問内容によって構成される試験問題の生成を行う（ステップＳ１０２）。なお、ここでの試験問題の生成は、例えば、記録装置１ａから抽出された複数の個別設問内容情報に示される個々の設問内容の出題順序を並び替えられることによって行われる（ステップＳ１０２）。このように試験問題を生成することにより、試験問題の内容を各受験者ごとに相違させることが可能となる。
【００１５】
このように生成された試験問題は、例えば、その内容を示す情報である試験問題情報として、通信手段を介し、受験者４が利用する端末装置２に送信され、このように端末装置２に送信された試験問題情報に示される試験問題の内容は、例えば、その端末装置２に表示される（ステップＳ１０３）。なお、ここでの端末装置２への試験問題の表示は、例えば、定められた試験開始時間以降においてのみ行われ（ステップＳ１０３）、この試験問題の内容が試験開始時間以前においては表示されることはない。
【００１６】
端末装置２に表示された試験問題の内容は、例えば、受験者４によって閲覧され、この試験問題を閲覧した受験者４は、その試験問題に対する解答内容を、端末装置２を用いて入力する。入力された解答内容を示す解答内容情報は、例えば、通信手段を介し、試験実施装置１に送信され、この試験実施装置１によって受信される（ステップＳ１０４）。なお、ここで試験実施装置１によって受け付けられる解答内容情報は、例えば、定められた試験時間内に入力された解答内容を示す解答内容情報のみとする。
【００１７】
このように解答内容情報を受信した試験実施装置１は、例えば、その解答内容情報に示される解答内容の採点、及び受験者４に対する評価を行う。
上述のように、この試験実施方法では、例えば、記録装置１ａから抽出された複数の個別設問内容情報に示される個々の設問内容の出題順序を並び替えることにより、受験者ごとに内容が相違する試験問題を生成することとするため、受験中の学生の状況を監視することができない通信手段を用いた試験において、学生間における解答の教え合い等の不正を適切に防止することが可能となる。
【００１８】
特に、上述の方法では、例えば、受験者は、このように生成された試験問題を、定められた試験開始時間以降においてのみ閲覧でき、さらに、それに対する解答を、定められた試験時間内においてのみすることが可能である。そのため、このように出題順序が並び替えられることによって内容が相違する試験問題を、学生間で照合し、不正を行おうとする場合であっても、その照合、解答を行うことが可能な時間は、各受験者が各自の試験問題の内容を知ることができる試験開始時から、その解答を行うことができる試験時間終了時までといった限られた時間に限定される。このような限られた時間に出題順序が並び替えられた試験問題相互を照合することは著しく困難であり、結果、試験時における不正を効果的に防止することができる。
【００１９】
次に、本形態における試験実施方法の詳細について説明していく。
図２は、本形態における試験実施方法を実現するための試験実施システム１０の構成を例示した概念図である。
【００２０】
図２に例示するように、試験実施システム１０は、例えば、通信手段を用い、受験者に対する試験を実施する試験実施装置２０、通信手段を用いて行われる試験の受験に用いる端末装置３０〜６０、及び通信手段であるネットワーク７０を有している。
【００２１】
試験実施装置２０は、例えば、大学が所有する試験サーバ２０ａ、試験ＤＢサーバ２０ｂ及び大学ＤＢサーバ２０ｃを有している。ここで、試験サーバ２０ａは、例えば、ネットワーク７０を介し、試験実施に必要な情報の提供、取得を行い、さらにそれらに伴う各種処理を行うサーバである。また、試験ＤＢサーバ２０ｂは、例えば、試験サーバ２０ａでの処理に必要な各種データを保有するためのサーバであり、大学ＤＢサーバ２０ｃは、それらの各種データの入力、生成等を行うサーバである。
【００２２】
端末装置３０〜６０は、例えば、各学生が保有するパーソナルコンピュータ等の情報処理端末装置である。なお、図２では、説明の簡略化のため、４つの端末装置３０〜６０のみを例示しているが、端末装置の数は、これよりも多くても少なくてもよい。
【００２３】
ネットワーク７０は、例えば、インターネット等の公衆通信回線網、ＬＡＮ（Ｌｏｃａｌ  Ａｒｅａ  Ｎｅｔｗｏｒｋ）等の私設通信回線網である。
図２に例示するように、例えば、大学ＤＢサーバ２０ｃは、試験ＤＢサーバ２０ｂと、試験ＤＢサーバ２０ｂは、試験サーバ２０ａと、それぞれ通信可能なように構成され、試験サーバ２０ａは、ネットワーク７０を介し、端末装置３０〜６０と通信可能なように構成されている。
【００２４】
図３は、試験サーバ２０ａのハードウェア構成を例示したブロック図である。
図３に例示するように、試験サーバ２０ａは、例えば、ＣＰＵ（Ｃｅｎｔｒａｌ  Ｐｒｏｃｅｓｓｉｎｇ  Ｕｎｉｔ：中央処理装置）２０ａａ、ＨＤＤ（Ｈａｒｄ  Ｄｉｓｋ  Ｄｒｉｖｅ：ハードディスク装置）２０ａｂ、ＲＯＭ（Ｒｅａｄ  Ｏｎｌｙ  Ｍｅｍｏｒｙ）２０ａｃ、ＲＡＭ（Ｒａｎｄｏｍ  ＡｃｃｅｓｓＭｅｍｏｒｙ）２０ａｄ、ホストバス２０ａｅ、ブリッジ２０ａｆ、外部バス２０ａｇ、入力インターフェース２０ａｈ、キーボード２０ａｉ、マウス２０ａｊ、映像処理装置２０ａｋ、ＣＲＴ（Ｃａｔｈｏｄｅ−Ｒａｙ  Ｔｕｂｅ）ディスプレイ２０ａｌ、及び通信インターフェース２０ａｍを有しており、通信インターフェース２０ａｍを介し、ネットワーク７０及び試験ＤＢサーバ２０ｂと通信可能なように接続されている。
【００２５】
図３に例示するように、例えば、ＣＰＵ２０ａａ、ＨＤＤ２０ａｂ、ＲＯＭ２０ａｃ及びＲＡＭ２０ａｄは、ホストバス２０ａｅと、それぞれ情報のやりとりが可能なように接続され、ホストバス２０ａｅは、ブリッジ２０ａｆを介し、外部バス２０ａｇと情報のやりとりが可能なように接続される。外部バス２０ａｇは、例えば、入力インターフェース２０ａｈ、映像処理装置２０ａｋ及び通信インターフェース２０ａｍと、それぞれ情報のやりとりが可能なように接続され、入力インターフェース２０ａｈには、キーボード２０ａｉ及びマウス２０ａｊが、映像処理装置２０ａｋにはＣＲＴディスプレイ２０ａｌが、それぞれ情報のやりとりが可能なように接続される。
【００２６】
ＣＰＵ２０ａａは、例えば、プロセッサを中心とした構成となっており、図示していない発信器から供給されるクロック信号に同期して、ＲＯＭ２０ａｃ、或いはＲＡＭ２０ａｄに格納されているオペレーティングシステム、アプリケーションプログラム等の各種プログラムを実行する。
【００２７】
ＨＤＤ２０ａｂは、例えば、固定式の記憶装置、ＲＯＭ２０ａｃは、マスクＲＯＭ等、ＲＡＭ２０ａｄは、ダイナミックＲＡＭ（ＤＲＡＭ：Ｄｙｎａｍｉｃ  Ｒａｎｄｏｍ  Ａｃｃｅｓｓ  Ｍｅｍｏｒｙ）等であり、オペレーティングシステム、アプリケーションプログラム等の各種プログラムや、プログラムの実行に必要な各種データ等の格納を行う。
【００２８】
ホストバス２０ａｅ及び外部バス２０ａｇは、例えば、マイクロプロセッサ、メモリ等から構成される情報伝達路であり、ブリッジ２０ａｆは、ホストバス２０ａｅ、外部バス２０ａｇ間のデータを中継する。
【００２９】
入力インターフェース２０ａｈは、例えば、キーボード２０ａｉ及びマウス２０ａｊからの入力信号を外部バス２０ａｇに中継する。
映像処理装置２０ａｋは、例えば、ＣＰＵ２０ａａの制御の下、外部バス２０ａｇから供給される映像のアナログデータ或いはデジタルデータに対応するアナログ信号を生成し、生成したアナログ信号をＣＲＴディスプレイ２０ａｌに供給する。
【００３０】
ＣＲＴディスプレイ２０ａｌは、例えば、画面表面の蛍光素材に電子ビームを当てることによって映像の表示を行うブラウン管型のディスプレイであり、映像処理装置２０ａｋから供給されたアナログ信号をもとに、所定の映像の表示を行う。
【００３１】
通信インターフェース２０ａｍは、例えば、ＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）等の所定の規格に対応するインターフェースであり、試験サーバ２０ａをネットワーク７０及び試験ＤＢサーバ２０ｂと通信可能なように接続する。
【００３２】
図４は、試験ＤＢサーバ２０ｂのハードウェア構成を例示したブロック図である。
図４に例示するように、試験ＤＢサーバ２０ｂは、例えば、ＣＰＵ２０ｂａ、ＨＤＤ２０ｂｂ、ＲＯＭ２０ｂｃ、ＲＡＭ２０ｂｄ、ホストバス２０ｂｅ、ブリッジ２０ｂｆ、外部バス２０ｂｇ、入力インターフェース２０ｂｈ、キーボード２０ｂｉ、マウス２０ｂｊ、映像処理装置２０ｂｋ、ＣＲＴディスプレイ２０ｂｌ、及び通信インターフェース２０ｂｍを有しており、通信インターフェース２０ｂｍを介し、試験サーバ２０ａ及び大学ＤＢサーバ２０ｃと通信可能なように接続されている。
【００３３】
図４に例示するように、例えば、ＣＰＵ２０ｂａ、ＨＤＤ２０ｂｂ、ＲＯＭ２０ｂｃ及びＲＡＭ２０ｂｄは、ホストバス２０ｂｅと、それぞれ情報のやりとりが可能なように接続され、ホストバス２０ｂｅは、ブリッジ２０ｂｆを介し、外部バス２０ｂｇと情報のやりとりが可能なように接続される。外部バス２０ｂｇは、例えば、入力インターフェース２０ｂｈ、映像処理装置２０ｂｋ及び通信インターフェース２０ｂｍと、それぞれ情報のやりとりが可能なように接続され、入力インターフェース２０ｂｈには、キーボード２０ｂｉ及びマウス２０ｂｊが、映像処理装置２０ｂｋにはＣＲＴディスプレイ２０ｂｌが、それぞれ情報のやりとりが可能なように接続される。
【００３４】
ＣＰＵ２０ｂａは、例えば、プロセッサを中心とした構成となっており、図示していない発信器から供給されるクロック信号に同期して、ＲＯＭ２０ｂｃ、或いはＲＡＭ２０ｂｄに格納されているオペレーティングシステム、アプリケーションプログラム等の各種プログラムを実行する。
【００３５】
ＨＤＤ２０ｂｂは、例えば、固定式の記憶装置、ＲＯＭ２０ｂｃは、マスクＲＯＭ等、ＲＡＭ２０ｂｄは、ダイナミックＲＡＭ等であり、オペレーティングシステム、アプリケーションプログラム等の各種プログラムや、プログラムの実行に必要な各種データ等の格納を行う。
【００３６】
ホストバス２０ｂｅ及び外部バス２０ｂｇは、例えば、マイクロプロセッサ、メモリ等から構成される情報伝達路であり、ブリッジ２０ｂｆは、ホストバス２０ｂｅ、外部バス２０ｂｇ間のデータを中継する。
【００３７】
入力インターフェース２０ｂｈは、例えば、キーボード２０ｂｉ及びマウス２０ｂｊからの入力信号を外部バス２０ｂｇに中継する。
映像処理装置２０ｂｋは、例えば、ＣＰＵ２０ｂａの制御の下、外部バス２０ｂｇから供給される映像のアナログデータ或いはデジタルデータに対応するアナログ信号を生成し、生成したアナログ信号をＣＲＴディスプレイ２０ｂｌに供給する。
【００３８】
ＣＲＴディスプレイ２０ｂｌは、例えば、画面表面の蛍光素材に電子ビームを当てることによって映像の表示を行うブラウン管型のディスプレイであり、映像処理装置２０ｂｋから供給されたアナログ信号をもとに、所定の映像の表示を行う。
【００３９】
通信インターフェース２０ｂｍは、例えば、ＩＥＥＥ等の所定の規格に対応するインターフェースであり、試験ＤＢサーバ２０ｂを試験サーバ２０ａ及び大学ＤＢサーバ２０ｃと通信可能なように接続する。
【００４０】
図５は、大学ＤＢサーバ２０ｃのハードウェア構成を例示したブロック図である。
図５に例示するように、大学ＤＢサーバ２０ｃは、例えば、ＣＰＵ２０ｃａ、ＨＤＤ２０ｃｂ、ＲＯＭ２０ｃｃ、ＲＡＭ２０ｃｄ、ホストバス２０ｃｅ、ブリッジ２０ｃｆ、外部バス２０ｃｇ、入力インターフェース２０ｃｈ、キーボード２０ｃｉ、マウス２０ｃｊ、映像処理装置２０ｃｋ、ＣＲＴディスプレイ２０ｃｌ、及び通信インターフェース２０ｃｍを有しており、通信インターフェース２０ｃｍを介し、試験ＤＢサーバ２０ｂと通信可能なように接続されている。
【００４１】
図５に例示するように、例えば、ＣＰＵ２０ｃａ、ＨＤＤ２０ｃｂ、ＲＯＭ２０ｃｃ及びＲＡＭ２０ｃｄは、ホストバス２０ｃｅと、それぞれ情報のやりとりが可能なように接続され、ホストバス２０ｃｅは、ブリッジ２０ｃｆを介し、外部バス２０ｃｇと情報のやりとりが可能なように接続される。外部バス２０ｃｇは、例えば、入力インターフェース２０ｃｈ、映像処理装置２０ｃｋ及び通信インターフェース２０ｃｍと、それぞれ情報のやりとりが可能なように接続され、入力インターフェース２０ｃｈには、キーボード２０ｃｉ及びマウス２０ｃｊが、映像処理装置２０ｃｋにはＣＲＴディスプレイ２０ｃｌが、それぞれ情報のやりとりが可能なように接続される。
【００４２】
ＣＰＵ２０ｃａは、例えば、プロセッサを中心とした構成となっており、図示していない発信器から供給されるクロック信号に同期して、ＲＯＭ２０ｃｃ、或いはＲＡＭ２０ｃｄに格納されているオペレーティングシステム、アプリケーションプログラム等の各種プログラムを実行する。
【００４３】
ＨＤＤ２０ｃｂは、例えば、固定式の記憶装置、ＲＯＭ２０ｃｃは、マスクＲＯＭ等、ＲＡＭ２０ｃｄは、ダイナミックＲＡＭ等であり、オペレーティングシステム、アプリケーションプログラム等の各種プログラムや、プログラムの実行に必要な各種データ等の格納を行う。
【００４４】
ホストバス２０ｃｅ及び外部バス２０ｃｇは、例えば、マイクロプロセッサ、メモリ等から構成される情報伝達路であり、ブリッジ２０ｃｆは、ホストバス２０ｃｅ、外部バス２０ｃｇ間のデータを中継する。
【００４５】
入力インターフェース２０ｃｈは、例えば、キーボード２０ｃｉ及びマウス２０ｃｊからの入力信号を外部バス２０ｃｇに中継する。
映像処理装置２０ｃｋは、例えば、ＣＰＵ２０ｃａの制御の下、外部バス２０ｃｇから供給される映像のアナログデータ或いはデジタルデータに対応するアナログ信号を生成し、生成したアナログ信号をＣＲＴディスプレイ２０ｃｌに供給する。
【００４６】
ＣＲＴディスプレイ２０ｃｌは、例えば、画面表面の蛍光素材に電子ビームを当てることによって映像の表示を行うブラウン管型のディスプレイであり、映像処理装置２０ｃｋから供給されたアナログ信号をもとに、所定の映像の表示を行う。
【００４７】
通信インターフェース２０ｃｍは、例えば、ＩＥＥＥ等の所定の規格に対応するインターフェースであり、試験ＤＢサーバ２０ｂを試験サーバ２０ａ及び大学ＤＢサーバ２０ｃと通信可能なように接続する。
【００４８】
図６は、端末装置３０のハードウェア構成を例示したブロック図である。
図６に例示するように、端末装置３０は、例えば、ＣＰＵ３０ａ、ＨＤＤ３０ｂ、ＲＯＭ３０ｃ、ＲＡＭ３０ｄ、ホストバス３０ｅ、ブリッジ３０ｆ、外部バス３０ｇ、入力インターフェース３０ｈ、キーボード３０ｉ、マウス３０ｊ、映像処理装置３０ｋ、ＣＲＴディスプレイ３０ｌ、及び通信インターフェース３０ｍを有しており、通信インターフェース３０ｍを介し、ネットワーク７０と通信可能なように接続されている。
【００４９】
図６に例示するように、例えば、ＣＰＵ３０ａ、ＨＤＤ３０ｂ、ＲＯＭ３０ｃ及びＲＡＭ３０ｄは、ホストバス３０ｅと、それぞれ情報のやりとりが可能なように接続され、ホストバス３０ｅは、ブリッジ３０ｆを介し、外部バス３０ｇと情報のやりとりが可能なように接続される。外部バス３０ｇは、例えば、入力インターフェース３０ｈ、映像処理装置３０ｋ及び通信インターフェース３０ｍと、それぞれ情報のやりとりが可能なように接続され、入力インターフェース３０ｈには、キーボード３０ｉ及びマウス３０ｊが、映像処理装置３０ｋにはＣＲＴディスプレイ３０ｌが、それぞれ情報のやりとりが可能なように接続される。
【００５０】
ＣＰＵ３０ａは、例えば、プロセッサを中心とした構成となっており、図示していない発信器から供給されるクロック信号に同期して、ＲＯＭ３０ｃ、或いはＲＡＭ３０ｄに格納されているオペレーティングシステム、アプリケーションプログラム等の各種プログラムを実行する。
【００５１】
ＨＤＤ３０ｂは、例えば、固定式の記憶装置、ＲＯＭ３０ｃは、マスクＲＯＭ等、ＲＡＭ３０ｄは、ダイナミックＲＡＭ等であり、オペレーティングシステム、アプリケーションプログラム等の各種プログラムや、プログラムの実行に必要な各種データ等の格納を行う。
【００５２】
ホストバス３０ｅ及び外部バス３０ｇは、例えば、マイクロプロセッサ、メモリ等から構成される情報伝達路であり、ブリッジ３０ｆは、ホストバス３０ｅ、外部バス３０ｇ間のデータを中継する。
【００５３】
入力インターフェース３０ｈは、例えば、キーボード３０ｉ及びマウス３０ｊからの入力信号を外部バス３０ｇに中継する。
映像処理装置３０ｋは、例えば、ＣＰＵ３０ａの制御の下、外部バス３０ｇから供給される映像のアナログデータ或いはデジタルデータに対応するアナログ信号を生成し、生成したアナログ信号をＣＲＴディスプレイ３０ｌに供給する。
【００５４】
ＣＲＴディスプレイ３０ｌは、例えば、画面表面の蛍光素材に電子ビームを当てることによって映像の表示を行うブラウン管型のディスプレイであり、映像処理装置３０ｋから供給されたアナログ信号をもとに、所定の映像の表示を行う。
【００５５】
通信インターフェース３０ｍは、例えば、ＩＥＥＥ等の所定の規格に対応するインターフェースであり、端末装置３０をネットワーク７０に通信可能なように接続する。
【００５６】
なお、ここでは端末装置３０のみのハードウェア構成を例示したが、その他の端末装置４０〜６０についても、例えば、端末装置３０と同様なハードウェア構成を採るものとする。
【００５７】
図７は、本形態における試験実施システム１０のソフトウェア構成を例示した概念図である。
図７に例示するように、大学ＤＢサーバ２０ｃでは、例えば、所定のＯＳ（Ｏｐｅｒａｔｉｎｇ  Ｓｙｓｔｅｍ）１３０、１４０が起動され、このＯＳ１３０上において、データベース管理のためのＤＢＭＳ（Ｄａｔａｂａｓｅ  Ｍａｎａｇｅｍｅｎｔ  Ｓｙｓｔｅｍ）１３１等のソフトウェアが保存、実行される。また、ＯＳ１４０上では、例えば、ビジュアルベーシック（Ｖｉｓｕａｌ  Ｂａｓｉｃ）等の所定のプログラミング言語１４１を利用するための所定のソフトウェアが起動され、このプログラミング言語１４１を用い、大学で作成される試験問題等のデータである大学側作成データの入力が行われる。また、例えば、ＯＳ１４０上では、サーバ間相互での通信を可能にするネットワーキングプログラム１４２が起動され、上述のように入力された大学側作成データは、例えば、このネットワーキングプログラム１４２の実行に伴う処理によって、試験ＤＢサーバ２０ｂに送られる。
【００５８】
試験ＤＢサーバ２０ｂでは、例えば、所定のＯＳ１２０が起動され、このＯＳ１２０上において、データベース管理のためのＤＢＭＳ１２２等のソフトウェアが保存、実行され、さらに試験の実施に必要な情報の集合である試験ＤＢ１２１が保存される。
【００５９】
試験サーバ２０ａでは、例えば、所定のＯＳ１１０が起動され、このＯＳ１１０上において、Ｗｅｂサーバ１１２と外部プログラムとの間で連携して処理を行うためのインターフェースであるＣＧＩ（Ｃｏｍｍｏｎ  Ｇａｔｅｗａｙ  Ｉｎｔｅｒｆａｃｅ）１１３、ＣＧＩ  Ｈｙｐｅｒ１１４を介し、ＤＢＭＳ１２２による管理の下、試験ＤＢ１２１上のデータ、コミュニケーションＤＢ１１５に格納された表示画面等のデータの送受が行われる。また、試験サーバ２０ａと端末装置３０との各種データのやりとりは、例えば、ＨＴＴＰ（ＨｙｐｅｒｔｅｘｔＴｒａｎｓｆｅｒ  Ｐｒｏｔｏｃｏｌ）１１１等の通信プロトコルに従い、ＨＴＭＬ（Ｈｙｐｅｒｔｅｘｔ  Ｍａｒｋｕｐ  Ｌａｎｇｕａｇｅ）文書を送受することによって行われる。
【００６０】
端末装置３０では、例えば、所定のＯＳ１００上で、ＷＷＷブラウザ（Ｂｒｏｗｓｅｒ）等のブラウザ１０１が起動され、このブラウザ１０１上で、Ｗｅｂサーバ１１２から送られた試験問題等を示すＨＴＭＬ文書１０２が表示される。
【００６１】
なお、図７では、端末装置４０〜６０についてのソフトウェア構成の説明を省略したが、これらについても、例えば、端末装置３０と同様な構成を採るものとする。
【００６２】
図８は、例えば、図３〜５に例示したハードウェアにおいて所定のプログラム（ソフトウェア）を実行させることにより、このハードウェアとソフトウェアとが協働した具体的手段によって構築される試験実施装置２０の処理機能を例示したブロック図である。
【００６３】
図８に例示するように、試験実施装置２０の処理機能は、例えば、個々の設問内容を示す複数の個別設問内容情報等の各種試験情報が格納される試験情報格納手段２１、試験の実施日程に関する情報である試験実施日程情報の入力を受け付ける試験情報入力手段２２、学生からの受験申し込み内容を示す情報である受験申し込み情報を取得する受験申し込み情報取得手段２３、試験情報格納手段２１から複数の個別設問内容情報を抽出する個別設問内容情報抽出手段２４ａ、個別設問内容情報抽出手段２４ａにおいて抽出された複数の個別設問内容情報に示される個々の設問内容によって構成され、個々の設問内容の出題順序が並び替えられた試験問題を生成する試験問題生成手段２４ｂ、試験実施装置２０に対する端末装置３０〜６０のログイン、ログアウトを制御する接続制御手段２５ａ、接続制御手段２５ａの制御に従って接続された端末装置３０〜６０に対する各種情報の送受を行う情報送受信手段２５ｂ、試験問題生成手段２４ｂにおいて生成された試験問題を示す情報である試験問題情報を試験情報格納手段２１から抽出する試験問題情報抽出手段２６ａ、抽出した試験問題情報を、ネットワーク７０を介し、受験者が利用する端末装置３０〜６０に送信し、送信した試験問題情報に示される試験問題の内容を、定められた試験開始時間以降においてのみ、端末装置３０〜６０に表示させる試験問題情報配信手段２６ｂ、試験問題情報配信手段２６ｂにおいて端末装置３０〜６０に表示させた試験問題の内容に対し、受験者によって、端末装置３０〜６０を用い、定められた試験時間内に入力された解答内容を示す解答内容情報を、ネットワーク７０を介して取得する解答内容情報取得手段２７ａ、解答内容情報取得手段２７ａにおいて取得された解答内容情報に示される解答内容と、試験情報格納手段２１に格納されている個別設問正解内容情報に示される正解内容とを照合し、解答内容の正誤判断を行うことにより、解答内容に対する採点を行う解答内容採点手段２７ｂ、試験情報格納手段２１に格納された解答内容の正誤判断の結果を集計し、個々の設問ごとの正解率を算出する設問正解率算出手段２８ａ、設問正解率算出手段２８ａにおいて算出された個々の設問ごとの正解率を基に、解答内容採点手段２７ｂにおいて行われた解答内容の採点に対する補正を行う採点内容補正手段２８ｂ、及び試験結果に関する情報である試験結果情報を端末装置３０〜６０に送信する試験結果情報送信手段２９を有している。
【００６４】
図８に例示するように、例えば、試験情報格納手段２１は、試験情報入力手段２２、受験申し込み情報取得手段２３、個別設問内容情報抽出手段２４ａ、試験問題生成手段２４ｂ、接続制御手段２５ａ、試験問題情報抽出手段２６ａ、解答内容情報取得手段２７ａ、解答内容採点手段２７ｂ、設問正解率算出手段２８ａ、採点内容補正手段２８ｂ、及び試験結果情報送信手段２９と、それぞれ情報のやりとりが可能なように構成されている。また、例えば、個別設問内容情報抽出手段２４ａは、試験問題生成手段２４ｂに、試験問題情報抽出手段２６ａは、試験問題情報配信手段２６ｂに、それぞれ情報の提供が可能なように構成され、情報送受信手段２５ｂは、受験申し込み情報取得手段２３、接続制御手段２５ａ、試験問題情報配信手段２６ｂ、解答内容情報取得手段２７ａ、試験結果情報送信手段２９及びネットワーク７０と、それぞれ情報のやりとりが可能なように構成される。
【００６５】
図９は、図８に例示した試験情報格納手段２１の詳細を例示した概念図である。
図９に例示するように、試験情報格納手段２１は、例えば、試験の日程を管理する情報である試験日程管理情報を格納する試験日程管理情報格納手段２０１、各試験内容を示す情報である試験内容情報を格納する試験内容情報格納手段２０２、個々の設問内容を示す個別設問内容情報を有する設問情報が格納される設問情報格納手段２０３、各学生に関する秘密情報等が格納される学生情報格納手段２０４、実施される試験の受験者等を示す情報である受験情報を格納する受験情報格納手段２０５、作成された試験問題に関する情報である試験問題情報が格納される試験問題情報格納手段２０６、受験者によって入力された解答内容を示す情報である答案情報を格納する答案情報格納手段２０７、解答内容に対する採点結果を示す情報である採点結果情報を格納する採点結果情報格納手段２０８、及び実施された試験結果を示す情報である試験結果情報が格納される試験結果情報格納手段２０９を有している。
【００６６】
図１０は、図９に例示した試験日程管理情報格納手段２０１に格納される試験日程管理情報２０１ａのデータ構成を例示した概念図である。
図１０に例示するように、試験日程管理情報２０１ａは、例えば、試験の実施年度を示す「年度」に関する情報、実施される試験科目のコードを示す「科目コード」に関する情報、試験実施日を示す「試験日」に関する情報、及び試験が実施される時間帯を示す「時限」に関する情報を有している。
【００６７】
図１０の例の場合、「年度」として２００１年を示す「２００１」という情報が格納されており、「科目コード」として、各科目を示すコードである「Ａ１１２５３」、「Ｂ０３５２４」、「Ｊ０８８４５」、「Ｋ１８５４１」、「Ｃ０３３２５」が、それぞれ格納されている。また、「科目コード」「Ａ１１２５３」に対応する「試験日」として２００１年７月１０日を示す「２００１．７．１０」が、「時限」として１時限目を示す「０１」が、「科目コード」「Ｂ０３５２４」に対応する「試験日」として２００１年７月１０日を示す「２００１．７．１０」が、「時限」として２時限目を示す「０２」が、「科目コード」「Ｊ０８８４５」に対応する「試験日」として２００１年７月１１日を示す「２００１．７．１１」が、「時限」として１時限目を示す「０１」が、「科目コード」「Ｋ１８５４１」に対応する「試験日」として２００１年７月１２日を示す「２００１．７．１２」が、「時限」として４時限目を示す「０４」が、「科目コード」「Ｃ０３３２５」に対応する「試験日」として２００１年７月１６日を示す「２００１．７．１６」が、「時限」として２時限目を示す「０２」が、それぞれ格納されている。
【００６８】
図１１は、図９に例示した試験内容情報格納手段２０２のデータ構成を例示した概念図である。
図１１に例示するように、試験内容情報格納手段２０２には、例えば、それぞれの試験内容を示す情報である複数の試験内容情報２０２ａ〜２０２ｆが所定の形式で格納されている。
【００６９】
図１２は、図１１に例示した試験内容情報２０２ａのデータ構成を例示した概念図である。
図１２に例示するように、試験内容情報２０２ａは、例えば、試験の実施年度を示す「年度」に関する情報、実施される試験の科目コードを示す「科目コード」に関する情報、試験実施日を示す「試験日」に関する情報、試験が実施される時間帯を示す「時限」に関する情報、この試験によってＡランクの評価を得るために必要な点数である「Ａランク評価点数」に関する情報、Ｂランクの評価を得るために必要な点数である「Ｂランク評価点数」に関する情報、及びＣランクの評価を得るために必要な点数である「Ｃランク評価点数」に関する情報を有している。
【００７０】
図１２の例の場合、「年度」として２００１年を示す「２００１」が、「科目コード」として「Ａ１１２５３」が、「試験日」として２００１年７月１０日を示す「２００１．７．１０」が、「時限」として１時限目を示す「０１」が、「Ａランク評価点数」として９０点を示す「０９０」が、「Ｂランク評価点数」として７５点を示す「０７５」が、「Ｃランク評価点数」として６０点を示す「０６０」が、それぞれ格納されている。
【００７１】
なお、図１２では試験内容情報２０２ａのデータ構成のみを例示したが、その他の試験内容情報２０２ｂ〜２０２ｆについても、例えば、試験内容情報２０２ａと同様な構成となる。
【００７２】
図１３は、図９に例示した設問情報格納手段２０３のデータ構成を例示した概念図である。
図１３に例示するように、設問情報格納手段２０３には、例えば、個々の設問内容を示す複数の設問情報２０３ａ〜２０３ｆが、所定の形式で格納されている。
【００７３】
図１４は、図１３に例示した設問情報２０３ａのデータ構成を例示した概念図である。
図１４に例示するように、設問情報２０３ａは、例えば、複数の選択肢の中から正しい選択肢を選び出すことによって解答を行う多肢選択式の設問内容を示しており、試験の実施年度を示す「年度」に関する情報、実施される試験の科目コードを示す「科目コード」に関する情報、設問が固定問題か選択問題かを示す「固定／選択」に関する情報、個々の設問ごとに付与されるＩＤを示す「設問ＩＤ」に関する情報、設問の内容を示す「設問内容」に関する情報、設問に対する選択肢の個数を示す「選択肢個数」に関する情報、個々の選択肢にそれぞれ付与されるＩＤを示す「選択肢ＩＤ」に関する情報、各選択肢の内容を示す「選択肢内容」に関する情報、及び正解の選択肢のＩＤを示す「正解選択肢ＩＤ」に関する情報を有している。
【００７４】
ここで固定問題とは、例えば、全ての受験者に対し必ず出題される個々の設問を意味し、選択問題とは、例えば、任意に選択される個々の設問を意味する。
また、例えば、図１４において、「選択肢ＩＤ」に示されるＩＤは、そのすぐ下欄に配置される「選択肢内容」に示される選択肢の内容に対して付与されたＩＤを意味する。さらに、例えば、「選択肢ＩＤ」と「選択肢内容」の情報は、「選択肢個数」に示される選択肢の個数分繰り返され、このように繰り返された選択肢ＩＤ」と「選択肢内容」に関する情報、「設問内容」に関する情報、「選択肢個数」に関する情報によって、個々の設問内容を示す個別設問内容情報２０３ａａが構成される。またさらに、例えば、「正解選択肢ＩＤ」に関する情報は、個々の設問内容に対する正解内容を示す個別設問正解内容情報２０３ａｂを構成する。
【００７５】
図１４の例の場合、「年度」として２００１年を示す「２００１」が、「科目コード」として「Ａ１１２５３」が、「固定／選択」として本設問が固定問題であることを示す「固定」が、「設問ＩＤ」として「Ｋ１５」が、「設問内容」として「社会保障の理念・モデルに…」が、「選択肢個数」として選択肢が５個であることを示す「５」が、「選択肢ＩＤ」として「Ｋ１５１」、「Ｋ１５２」等が、「選択肢内容」として「社会サービスを利用する人々…」、「福祉ミックスの考え方では…」、「今後の福祉社会において…」が、「正解選択肢ＩＤ」として「Ｋ１５２」がそれぞれ格納されている。ここで、「選択肢ＩＤ」と「選択肢内容」に関する情報は、「選択肢個数」に示される選択肢の個数である５個分繰り返され、これらによって個別設問内容情報２０３ａａが構成される。
【００７６】
なお、図１４では設問情報２０３ａのデータ構成のみを例示したが、その他の設問情報２０３ｂ〜２０３ｆについても、例えば、設問情報２０３ａと同様な構成となる。また、図１４の例では、設問情報２０３ａは、複数の選択肢の中から正しい選択肢を選び出すことによって解答を行う多肢選択式の設問内容を示すこととしたが、多肢選択式の設問内容ではなく、その他の形式の設問内容を示すこととしてもよい。
【００７７】
図１５は、図９に例示した学生情報格納手段２０４に格納される学生情報２０４ａのデータ構成を例示した概念図である。
図１５に例示するように、学生情報２０４ａは、例えば、各学生に付与される「学籍番号」に関する情報、各学生の「氏名」に関する情報、及び各学生が有する秘密情報である「パスワード」に関する情報を有している。
【００７８】
図１５の場合、「学籍番号」として、「Ｊ１９９９Ａ１２３」、「Ｊ１９９９Ａ１２４」、「Ｊ１９９９Ａ１２５」、「Ｊ１９９９Ａ２５４」が格納されており、「学籍番号」「Ｊ１９９９Ａ１２３」、「Ｊ１９９９Ａ１２４」、「Ｊ１９９９Ａ１２５」、「Ｊ１９９９Ａ２５４」にそれぞれ対応する「氏名」として、「吉祥寺聡」、「下北沢えり」、「赤坂可奈」、「日野敦」が、「学籍番号」「Ｊ１９９９Ａ１２３」、「Ｊ１９９９Ａ１２４」、「Ｊ１９９９Ａ１２５」、「Ｊ１９９９Ａ２５４」にそれぞれ対応する「パスワード」として「ＷＳＡＲ１２５６」、「ＲＴＦＤ３３２１」、「ＱＡＫＩ５６１４」、「ＦＧＴＹ８５４５」が、ぞれぞれ格納されている。
【００７９】
図１６は、図９に例示した受験情報格納手段２０５に格納される受験情報２０５ａのデータ構成を例示した概念図である。
図１６に例示するように、受験情報２０５ａは、例えば、試験の実施年度を示す「年度」に関する情報、実施される試験の科目コードを示す「科目コード」に関する情報、受験者の学籍番号を示す「受験者学籍番号」に関する情報、及び生成された試験問題ごとに付与される「シャッフルＩＤ」に関する情報を有している。
【００８０】
図１６の例の場合、「年度」として２００１年を示す「２００１」が、「科目コード」として「Ａ１１２５３」、「Ｋ１８５４１」が、「受験者学籍番号」として「Ｊ１９９９Ａ１２４」、「Ｊ１９９９Ａ１８２」、「Ｊ１９９９Ａ１８３」、「Ｊ２０００Ａ０２４」が、「受験者学籍番号」「Ｊ１９９９Ａ１２４」、「Ｊ１９９９Ａ１８２」、「Ｊ１９９９Ａ１８３」、「Ｊ２０００Ａ０２４」にそれぞれ対応する「シャッフルＩＤ」として、「ＳＨ１５２４」、「ＳＨ１５２５」、「ＳＨ１５２６」、「ＳＨ４８５２」が、それぞれ格納されている。
【００８１】
図１７は、図９に例示した試験問題情報格納手段２０６のデータ構成を例示した概念図である。
図１７に例示するように、試験問題情報格納手段２０６には、例えば、生成された試験問題を示す情報である複数の試験問題情報２０６ａ〜２０６ｆが、所定の形式で格納されている。
【００８２】
図１８は、図１７に例示した試験問題情報２０６ａのデータ構成を例示した概念図である。
図１８に例示するように、試験問題情報２０６ａは、例えば、試験の実施年度を示す「年度」に関する情報、実施される試験の科目コードを示す「科目コード」に関する情報、生成された試験問題ごとに付与される「シャッフルＩＤ」に関する情報、表示される設問番号を示す「表示設問番号」に関する情報、表示される設問内容を示す「設問ＩＤ」に関する情報、表示される選択肢番号を示す「表示選択肢番号」に関する情報、及び表示される選択肢の内容を示す「選択肢ＩＤ」に関する情報を有している。
【００８３】
図１８の例の場合、「年度」として２００１年を示す「２００１」が、「科目コード」として「Ａ１１２５３」が、「シャッフルＩＤ」として「ＳＨ１５２４」が、「表示設問番号」として、設問番号１を示す「０１」、設問番号２を示す「０２」が、「設問ＩＤ」として「Ｋ１５」及び「Ｋ２０」が、「表示選択肢番号」として、選択肢番号１を示す「０１」、選択肢番号２を示す「０２」が、「選択肢ＩＤ」として「Ｋ１５３」、「Ｋ１５２」、「Ｋ１５４」、「Ｋ２０３」、「Ｋ４２１」が、それぞれ格納されている。
【００８４】
また、図１８に例示した試験問題情報２０６ａの場合、「シャッフルＩＤ」として格納されている「ＳＨ１５２４」は、例えば、その欄以降に配置される各種情報によって構成される試験問題に付されたＩＤを意味する。また、試験問題は、複数の設問（設問１、設問２…設問ｎ）によって構成され、「シャッフルＩＤ」の欄以降には、これらの各設問を構成する情報である「表示設問番号」、「設問ＩＤ」、「表示選択肢番号」、「選択肢ＩＤ」に関する情報が、各設問ごとに繰り返される。例えば、設問１の場合、「表示設問番号」の欄に「０１」が格納され、その下欄に位置する「設問ＩＤ」の欄に、設問１の設問内容を示すＩＤを示す「設問ＩＤ」「Ｋ１５」が配置される。さらに、例えば、この「設問ＩＤ」「Ｋ１５」の下欄には、この「設問ＩＤ」「Ｋ１５」に対する選択肢の情報（具体的には、例えば、「表示選択肢番号」と、その「表示選択肢番号」に対応する選択肢の内容を示す「選択肢ＩＤ」と）が選択肢の数だけ繰り返して配置される。
【００８５】
なお、図１８では試験問題情報２０６ａのデータ構成のみを例示したが、その他の試験問題情報２０６ｂ〜２０６ｆについても、例えば、試験問題情報２０６ａと同様な構成となる。
【００８６】
図１９は、図９に例示した答案情報格納手段２０７のデータ構成を例示した概念図である。
図１９に例示するように、答案情報格納手段２０７には、例えば、受験者によって入力された解答内容を示す情報である複数の答案情報２０７ａ〜２０７ｆが、所定の形式で格納されている。
【００８７】
図２０は、図１９に例示した答案情報２０７ａのデータ構成を例示した概念図である。
図２０に例示するように、答案情報２０７ａは、例えば、或る１人の受験者に対して行われた或る１つの試験問題に対する解答内容を示しており、試験の実施年度を示す「年度」に関する情報、実施される試験の科目コードを示す「科目コード」に関する情報、解答を行った受験生の「学籍番号」に関する情報、受験者が受験した試験問題に付与された「シャッフルＩＤ」に関する情報、試験問題を構成する設問を示すＩＤである「設問ＩＤ」に関する情報、受験生が解答した選択肢のＩＤを示す「解答選択肢ＩＤ」に関する情報、及び受験生の解答に対する「正誤」に関する情報を有している。なお、ここで「設問ＩＤ」、「解答選択肢ＩＤ」、「正誤」に関する情報は、例えば、「シャッフルＩＤ」に示される試験問題を構成する設問の数だけ繰り返される。
【００８８】
図２０の例の場合、「年度」として「２００１」が、「科目コード」として「Ａ１１２５３」が、「学籍番号」として「Ｊ１９９９Ａ１２３」が、「シャッフルＩＤ」として「ＳＨ１５２４」が、「設問ＩＤ」として「Ｋ１５」、「Ｋ２０」が、「解答選択肢ＩＤ」として「Ｋ１５２」、「Ｋ２０５」、「Ｋ３１２」が、それぞれ格納されている。
【００８９】
なお、図２０では答案情報２０７ａのデータ構成のみを例示したが、その他の答案情報２０７ｂ〜２０７ｆについても、例えば、答案情報２０７ａと同様な構成となる。
【００９０】
図２１は、図９に例示した採点結果情報格納手段２０８のデータ構成を例示した概念図である。
図２１に例示するように、採点結果情報格納手段２０８には、例えば、解答内容に対する採点結果を示す情報である複数の採点結果情報２０８ａ〜２０８ｆが、所定の形式で格納されている。
【００９１】
図２２は、図２１に例示した採点結果情報２０８ａのデータ構成を例示した概念図である。
図２２に例示するように、採点結果情報２０８ａは、例えば、実施された１つの試験科目における採点結果の集計を表した情報であり、試験の実施年度を示す「年度」に関する情報、実施される試験の科目コードを示す「科目コード」に関する情報、試験問題を構成する設問を示すＩＤである「設問ＩＤ」に関する情報、各設問に対する「回答数」に関する情報、及び各設問に対する「正解率」に関する情報を有している。なお、ここで、「設問ＩＤ」、「回答数」、「正解率」に関する情報は、例えば、「科目コード」に示される試験科目において出題された各試験問題を構成する全ての設問ごとに繰り返されるものとする。
【００９２】
図２２の例の場合、「年度」として「２００１」が、「科目コード」として「Ａ１１２５３」が、「設問ＩＤ」として「Ｋ０１」、「Ｋ０２」、「Ｋ０３」が、「解答数」として「３０」、「２８」、「３０」、「３０」が、「正解率」として「６０．０％」、「１４．２％」、「４０．０％」が、それぞれ格納されている。
【００９３】
なお、図２２では採点結果情報２０８ａのデータ構成のみを例示したが、その他の採点結果情報２０８ｂ〜２０８ｆについても、例えば、採点結果情報２０８ａと同様な構成となる。
【００９４】
図２３は、図９に例示した試験結果情報格納手段２０９のデータ構成を例示した概念図である。
図２３に例示するように、試験結果情報格納手段２０９には、例えば、試験結果に関する情報である複数の試験結果情報２０９ａ〜２０９ｆが、所定の形式で格納されている。
【００９５】
図２４は、図２３に例示した試験結果情報２０９ａのデータ構成を例示した概念図である。
図２４に例示するように、試験結果情報２０９ａは、例えば、或る１人の受験者が受験した１つの試験に対する試験結果を表した情報であり、試験の実施年度を示す「年度」に関する情報、実施される試験の科目コードを示す「科目コード」に関する情報、受験者の「学籍番号」に関する情報、受験した試験問題に付与された「シャッフルＩＤ」に関する情報、受験した試験問題を構成する設問内容を示す「設問ＩＤ」に関する情報、受験者によって解答された選択肢を示すＩＤである「解答選択肢ＩＤ」に関する情報、各設問に対する「配点」に関する情報、各設問に対する補正後の配点を示す「補正配点」に関する情報、格納設問に対する「正誤」に関する情報、各設問に対する補正前の配点によって算出された「点数」に関する情報、各設問に対する補正後の配点によって算出された点数である「補正点数」に関する情報、及び試験結果に対する「評価」に関する情報を有している。なお、ここで、「設問ＩＤ」、「解答選択肢ＩＤ」、「配点」、「補正配点」、「正誤」に関する情報は、「シャッフルＩＤ」に示される試験問題を構成する全ての設問ごとに繰り返されるものとする。
【００９６】
図２４の場合、「年度」として「２００１」が、「科目コード」として「Ａ１１２５３」が、「学籍番号」として「Ｊ１９９９Ａ１２３」が、「シャッフルＩＤ」として「ＳＨ１５２４」が、「設問ＩＤ」として「Ｋ１５」、「Ｋ２０」が、「解答選択肢ＩＤ」として「Ｋ１５２」、「Ｋ２０５」が、「配点」として１点を示す「０１」が、「補正配点」として２点を示す「０２」が、「正誤」として「正解」、「不正解」が、「点数」として７９点を示す「７９」が、「補正点数」として８１点を示す「８１」が、「評価」としてＢランク評価を示す「Ｂ」が、それぞれ格納されている。
【００９７】
なお、図２４では試験結果情報２０９ａのデータ構成のみを例示したが、その他の試験結果情報２０９ｂ〜２０９ｆについても、例えば、試験結果情報２０９ａと同様な構成となる。
【００９８】
図２５は、例えば、図６に例示したハードウェアにおいて所定のプログラム（ソフトウェア）を実行させることにより、このハードウェアとソフトウェアとが協働した具体的手段によって構築される端末装置３０の処理機能を例示したブロック図である。なお、以下では端末装置３０の処理機能のみの説明を行うが、その他の端末装置４０〜６０についても端末装置３０と同様な処理機能構成を採るものとする。
【００９９】
図２５に例示するように、端末装置３０の処理機能は、例えば、受験の申し込み内容を示す受験申し込み情報の入力を受け付ける受験申し込み情報入力手段３１、受験申し込み情報入力手段３１において入力された受験申し込み情報を、ネットワーク７０を介し、試験実施装置２０に送信する受験申し込み情報送信手段３２、記録装置３０から抽出された複数の個別設問内容情報に示される個々の設問内容によって構成され、個々の設問内容の出題順序が並び替えられた試験問題を示す試験問題情報を、ネットワーク７０を介して受信する試験問題情報取得手段３３、試験問題情報取得手段３３において受信された試験問題情報に示される試験問題の内容を、定められた試験開始時間以降においてのみ表示させる試験問題情報表示手段３４、試験問題情報表示手段３４において表示させた試験問題の内容に対し、受験者によって、定められた試験時間内に入力された解答内容を示す解答内容情報の入力を受け付ける解答内容情報入力手段３５、解答内容情報入力手段３５において入力された解答内容情報を、ネットワーク７０を介して送信する解答内容情報送信手段３６、ネットワーク７０を介し、試験実施装置２０から送信された試験結果情報を受信する試験結果情報受信手段３７、及び試験結果情報受信手段３７において受信された試験結果情報を表示させる試験結果情報表示手段３８を有している。
【０１００】
図２５に例示するように、例えば、受験申し込み情報入力手段３１は、受験申し込み情報送信手段３２に、試験問題情報取得手段３３は、試験問題情報表示手段３４に、解答内容情報入力手段３５は、解答内容情報送信手段３６に、試験結果情報受信手段３７は、試験結果情報表示手段３８に、それぞれ情報の提供が可能なように構成され、受験申し込み情報送信手段３２、試験問題情報取得手段３３、解答内容情報送信手段３６及び試験結果情報受信手段３７は、ネットワーク７０と、それぞれ情報のやりとりが可能なように構成される。
【０１０１】
次に、本形態における試験実施システム１０の処理動作について説明する。
図２６は、本形態における試験実施システム１０によって行われる試験実施方法の全体を説明するためのフローチャートである。以下、このフローチャートに沿って、本形態における試験実施システム１０によって行われる試験実施方法の全体について説明する。
【０１０２】
ステップＳ１：
本ステップでは、例えば、試験準備に関する処理を行う。
具体的には、例えば、大学の教員等によって作成された個々の設問内容を示す設問情報２０３ａ〜２０３ｆの設問情報格納手段２０３への格納、試験問題の自動生成、試験日時の公示、及び受験申し込みの受け付け等の処理を行う。
【０１０３】
なお、これらの処理の詳細については、後述する。
ステップＳ２：
本ステップでは、例えば、試験の実施に関する処理を行う。
【０１０４】
具体的には、例えば、各受験者が利用する端末装置３０〜６０からの試験実施装置２０へのログイン受け付け、各受験者が利用する端末装置３０〜６０への試験問題配信、及び各受験者が利用する端末装置３０〜６０からの解答内容収集等の処理を行う。
【０１０５】
なお、これらの処理の詳細については、後述する。
ステップＳ３：
本ステップでは、例えば、実施された試験おける採点・評価に関する処理を行う。
【０１０６】
具体的には、例えば、収集した解答内容の自動採点、評価の実施、及び各受験者が利用する端末装置３０〜６０への評価結果の配信等の処理を行う。
なお、これらの処理の詳細については、後述する。
【０１０７】
次に、図２６に例示したフローチャートのステップＳ１における処理の詳細について説明する。
図２７は、図２６に例示したフローチャートのステップＳ１における処理の詳細を説明するためのフローチャートである。以下、このフローチャートに沿って、このステップＳ１における処理の詳細について説明する。
【０１０８】
ステップＳ１１：
本ステップでは、例えば、図８に例示した試験実施装置２０の試験情報入力手段２２において、大学からの試験日程の入力を受け付ける。
【０１０９】
具体的には、例えば、試験が実施される年度、実施する試験科目（例えば科目コードとして）、試験日、試験が行われる時限等の情報の入力を受け付ける。このように入力されたこれらの情報は、例えば、試験情報格納手段２１の試験日程管理情報格納手段２０１に送られ、図１０に例示したような試験日程管理情報２０１ａとして、この試験日程管理情報格納手段２０１に格納される。
【０１１０】
試験日程の入力が終了すると、例えば、次にステップＳ１２に移る。
ステップＳ１２：
本ステップでは、例えば、学生からの受験科目の指定を伴った受験申し込みの受け付けを行う。
【０１１１】
受験申し込みの受け付けを行う場合、例えば、まず、図８に例示した試験実施装置２０の受験申し込み情報取得手段２３において、試験情報格納手段２１の試験日程管理情報格納手段２０１から、試験日程管理情報２０１ａを抽出し、抽出した試験日程管理情報２０１ａを、情報送受信手段２５ｂからネットワーク７０を介し、各学生が利用する各端末装置３０〜６０に配信する。
【０１１２】
このように配信された試験日程管理情報２０１ａの内容は、例えば、これらの各端末装置３０〜６０において表示され、各学生は、このように表示された内容を閲覧することにより、実施される試験日程に関する情報を入手する。試験日程に関する情報を入手した学生は、例えば、次に、受験を希望する試験を選択し、図２５に例示した学生が利用する端末装置３０の受験申し込み情報入力手段３１において、選択した試験に対する受験申し込み内容を示した受験申し込み情報の入力を行う。なお、例えば、ここで入力される受験申し込み情報は、受験科目の指定を伴った情報とし、具体的には、学生の学籍番号に関する情報に、受験を希望する試験の実施年度、科目等を加えた情報とする。
【０１１３】
このように入力された受験申し込み情報は、例えば、受験申し込み情報送信手段３２に送られ、この受験申し込み情報送信手段３２は、受け取った受験申し込み情報を、ネットワーク７０を介し、試験実施装置２０に送信する。試験実施装置２０に送信された受験申し込み情報は、例えば、情報送受信手段２５ｂにおいて受信され、このように受信された受験申し込み情報は、例えば、受験申し込み情報取得手段２３に送られる。
【０１１４】
ステップＳ１３：
本ステップでは、例えば、試験実施装置２０の受験申し込み情報取得手段２３に送られた受験申し込み情報を、試験情報格納手段２１の受験情報格納手段２０５に格納する。
【０１１５】
具体的には、例えば、図１６に例示した受験情報２０５ａを構成する「年度」、「科目コード」、「受験者学籍番号」に関する情報を格納する。
ステップＳ１４：
本ステップでは、例えば、受験の申し込み終了日が経過したか否か判断する。ここで、申し込み終了日が経過していないと判断された場合には、例えば、ステップＳ１２に進む。一方、申し込み終了日が経過したと判断された場合には、例えば、ステップＳ１５に進む。
【０１１６】
ステップＳ１５：
本ステップでは、例えば、科目ごとに試験問題を自動生成する。
具体的には、例えば、図９に例示した設問情報格納手段２０３に格納されている設問情報２０３ａ〜２０３ｆから複数個の設問情報を抽出し、抽出した設問情報に示される各設問を組み合わせることにより試験問題の生成を行う。なお、本ステップでは、例えば、試験問題生成時における各設問の組み合わせ順序を複数パターン用意し、それらの各組み合わせパターンに応じて設問の順序が組み替えられた複数種類の試験問題を生成する。
【０１１７】
これらの処理の詳細については後述する。
ステップＳ１６：
本ステップでは、例えば、図８に例示した試験実施装置２０の試験情報入力手段２２において、大学から、試験おける評価基準等を示す試験内容情報の入力を科目ごとに受け付け、このように入力された試験内容情報を、試験情報格納手段２１の試験内容情報格納手段２０２に格納する。
【０１１８】
この試験内容情報は、例えば、試験実施年度、科目コード、試験日、試験実施時限、評価ランクに対応する点数等の情報によって構成され、図１２に例示した試験内容情報２０２ａとして、試験情報入力手段２２に格納される。
【０１１９】
次に、図２７に例示したフローチャートのステップＳ１５における処理の詳細について説明する。
図２８は、図２７に例示したフローチャートのステップＳ１５における処理の詳細を説明するためのフローチャートである。以下、このフローチャートに沿って、このステップＳ１５における処理の詳細を説明していく。
【０１２０】
ステップＳ２１：
本ステップでは、例えば、図８に例示した個別設問内容情報抽出手段２４ａにおいて、図９に例示した設問情報格納手段２０３から、該当科目の固定問題を抽出する（個別設問内容情報抽出ステップ）。
【０１２１】
具体的には、例えば、図１３に例示した設問情報格納手段２０３に格納されている設問情報２０３ａ〜２０３ｆのうち、固定問題に該当する設問情報（固定個別設問内容情報に該当）を必要数抽出する。ここで設問情報２０３ａ〜２０３ｆが固定問題であるかないかの判断は、例えば、図１４に例示した設問情報２０３ａの「固定／選択」欄の内容によって行われる。図１４に例示した設問情報２０３ａの場合、「固定／選択」欄には固定問題であることを示す「固定」が格納されているため、この設問情報２０３ａは固定問題として、本ステップにおける抽出対象となり得る。
【０１２２】
また、本ステップにおいて抽出される固定問題の数は、例えば、生成する試験問題の全問題数及びそれらの問題に占める固定問題の比率によって決定されてもよい。つまり、本形態の試験実施装置２０において生成される試験問題は、例えば、所定数の固定問題と選択問題とが混合されることによって構成され、その全問題数及び混合比率は、例えば、試験科目及びその科目に対して行われる試験の受験者数等によって決定される。具体例を示すと、例えば、或る試験科目に対する受験者数が１０００人で、その試験科目の全問題数が３０問であり、その全問題数に対する固定問題の比率を１／３とした場合、本ステップにおいて抽出される固定問題の数は１０問となる。
【０１２３】
ステップＳ２２：
本ステップでは、例えば、図８に例示した個別設問内容情報抽出手段２４ａにおいて、図９に例示した設問情報格納手段２０３から、該当科目の選択問題を抽出する（個別設問内容情報抽出ステップ）。
【０１２４】
具体的には、例えば、図１３に例示した設問情報格納手段２０３に格納されている設問情報２０３ａ〜２０３ｆのうち、選択問題に該当する設問情報（選択個別設問内容情報に該当）を必要数抽出する。ここで設問情報２０３ａ〜２０３ｆが選択問題であるかないかの判断は、例えば、図１４に例示した設問情報２０３ａの「固定／選択」欄の内容によって行われる。
【０１２５】
また、本ステップにおいて抽出される選択問題の数は、例えば、生成する試験問題の全問題数及びそれらの問題に占める選択問題の比率によって決定されてもよい。具体例を示すと、例えば、或る試験科目に対する受験者数が１０００人で、その試験科目の全問題数が３０問であり、その全問題数に対する選択問題の比率を２／３とした場合、本ステップにおいて抽出される選択問題の数は２０問となる。
【０１２６】
なお、本ステップにおける選択問題の抽出は、抽出される選択問題の数以上の個数用意された選択問題から抽出することが望ましい。具体例を示すと、例えば、試験問題中の選択問題の数が２０問であった場合、選択問題である設問情報２０３ａ〜２０３ｆを１００問分、設問情報格納手段２０３に格納しておき、本ステップにおいて、これらの１００問の選択問題から２０問の選択問題を任意に選択することとする。このようにすることより、生成される試験問題の種類をより多く設定することが可能となる。
【０１２７】
ステップＳ２３：
本ステップでは、例えば、図８に例示した試験問題生成手段２４ｂにおいて、ステップＳ２１において抽出された固定問題と、ステップＳ２２において抽出された選択問題とを混合し、それらの順序の並び替え（シャッフル）を行う（試験問題生成ステップ）。
【０１２８】
なお、本ステップにおける固定問題及び選択問題の順序の並び替えは、例えば、乱数的に行われることが望ましい。
ステップＳ２４：
本ステップでは、例えば、図８に例示した試験問題生成手段２４ｂにおいて、ステップＳ２３において順序が並び替えられた各固定問題及び選択問題がそれぞれ有する選択肢の順序を、各設問ごとに並び替える（試験問題生成ステップ）。
【０１２９】
なお、本ステップにおける選択肢の順序の並び替えは、例えば、乱数的に行われることが望ましい。
ステップＳ２５：
本ステップでは、例えば、図８に例示した試験問題生成手段２４ｂにおいて、ステップＳ２３において設問の順序が並び替えられ、ステップＳ２４において選択肢の順序が並び替えることによって生成された試験問題にＩＤ（シャッフルＩＤ）を付し、図１７に例示した試験問題情報格納手段２０６に試験問題情報２０６ａ〜２０６ｆとして格納する。なお、本ステップにおける試験問題情報の格納は、例えば、前述した図１８に例示したデータ構成のように行われる。
【０１３０】
なお、上述した試験問題を構成する固定問題の比率は、例えば、この試験を受ける受験者が多い場合には小さめに設定し、逆に受験者が少ない場合には大きめに設定することが望ましい。つまり、固定問題はその試験科目を受験する全ての受験者に対して共通して出題される問題であるため、試験問題に占める固定問題の比率が小さいほど、生成された試験問題ごとの内容の差違が大きくなる。このように試験問題ごとの内容の差違を大きくした場合、受験者間の問題内容を相違させ、受験時における不正を防止するという効果を増大させることができる反面、受験者間における試験問題内容の相違によって生じる不公平（試験問題の難易度の相違）が生じる。後述するように、この試験問題間の不公平に対しては、例えば、試験結果の統計をとり、その是正を図るための点数補正を行うわけであるが、より正確な統計結果を得るためには、各試験問題を構成する各設問に対し、一定数以上のデータ（採点結果データ）が必要となる。この場合、受験生が多く、取得できる採点結果データの数が多い場合には、試験問題を構成する固定問題の比率が小さく、選択問題が多くても必要数の採点結果データを取得することができるため、受験生間の不公平を十分に是正することができる。一方、受験生が少なく、取得できる採点結果データの数が少ない場合には、試験問題を構成する固定問題の比率を大きくし、選択問題を少なくすることにより、必要数の採点結果データを十分に確保し、受験生間の不公平の是正を図る。
【０１３１】
以上のように、試験問題情報が格納されると、例えば、次にステップＳ２６に移る。
ステップＳ２６：
本ステップでは、例えば、必要数の試験問題が作成されたか否か判断する。
【０１３２】
ここで必要数とは、例えば、通信手段を用いた試験を行う上で受験者間における解答の教え合い等の不正を十分に防止できる程度の数を意味する。つまり、生成される試験問題数が少なすぎた場合、同じ設問が同じように配列された試験問題を受験することとなる受験生の数が必然的に増加することとなり、結果、受験生間において解答の教え合いが行われる可能性が増大してしまう。そのため、試験時における不正を適切に防止するためには、ある程度以上の種類の試験問題が準備されることが必要である。具体例としては、受験生が１０００人いた場合、１００パターン程度の試験問題が生成されることが望ましい。また、試験問題は、該当科目の受験者数分だけ生成してもよい。
【０１３３】
本ステップの判断において、必要数の試験問題が生成されたと判断された場合、例えば、ステップＳ２７に進む。一方、必要数の試験問題が生成されていないと判断された場合、例えば、ステップＳ２２に進む。
【０１３４】
ステップＳ２７：
本ステップでは、例えば、受験を行う学生ごとに、ステップＳ２５において試験問題情報格納手段２０６に格納された試験問題情報２０６ａ〜２０６ｆを割り当て、各学生に割り当てられた試験問題情報２０６ａ〜２０６ｆのシャッフルＩＤを、図１６に例示した受験情報格納手段２０５に受験情報２０５ａの一部として格納する。
【０１３５】
図１６に例示した受験情報２０５ａの場合、例えば、受験者学籍番号「Ｊ１９９９Ａ１２４」の学生に対し、シャッフルＩＤ「ＳＨ１５２４」の試験問題が、受験者学籍番号「Ｊ１９９９Ａ１８２」の学生に対し、シャッフルＩＤ「ＳＨ１５２５」の試験問題が、受験者学籍番号「Ｊ１９９９Ａ１８３」の学生に対し、シャッフルＩＤ「ＳＨ１５２６」の試験問題が、受験者学籍番号「Ｊ２０００Ａ０２４」の学生に対し、シャッフルＩＤ「ＳＨ４８５２」の試験問題が、それぞれ割り当てられていることになる。
【０１３６】
ステップＳ２８：
本ステップでは、例えば、まだ試験問題の割り当てが行われていない受験を行う学生が残存するか否か判断する。
【０１３７】
ここで、試験問題の割り当てが行われていない学生が残存すると判断された場合、例えば、ステップＳ２７に進む。試験問題の割り当てが行われていない学生が残存しないと判断された場合、例えば、ステップＳ２９に進む。
【０１３８】
ステップＳ２９：
本ステップでは、例えば、試験問題の作成及び学生への試験問題の割り当てが行われていない試験科目が残存するか否か判断する。
【０１３９】
ここで、試験問題の作成及び学生への試験問題の割り当てが行われていない試験科目が残存すると判断された場合、例えば、ステップＳ２１に進む。一方、試験問題の作成及び学生への試験問題の割り当てが行われていない試験科目が残存しないと判断された場合、例えば、処理を終了する。
【０１４０】
次に、図２６に例示したフローチャートのステップＳ２における処理の詳細について説明する。
図２９及び図３０は、図２６に例示したフローチャートのステップＳ２における処理の詳細を説明するためのフローチャートである。以下、このフローチャートに沿って、このステップＳ２における処理の詳細について説明する。
【０１４１】
ステップＳ３１：
本ステップでは、例えば、試験実施装置２０において、学生からのログインを受け付ける。
【０１４２】
具体的には、例えば、受験を希望する学生が、端末装置３０を利用し、ネットワーク７０を介して試験実施装置２０にアクセスし、試験問題情報取得手段３３を用いて入力したその学生の学籍番号を試験実施装置２０に提供する。
【０１４３】
試験実施装置２０に提供された学籍番号等の情報は、例えば、図８に例示した情報送受信手段２５ｂにおいて受信され、接続制御手段２５ａに送られる。
ステップＳ３２：
本ステップでは、例えば、図８に例示した接続制御手段２５ａにおいて、図１６に例示した受験情報格納手段２０５から、ステップＳ３１におけるアクセスがあった学生の受験科目を参照する。
【０１４４】
具体的には、例えば、ステップＳ３１において、端末装置３０からネットワーク７０を介して送られた当該学生の学籍番号を用い、接続制御手段２５ａにおいて、受験情報格納手段２０５に格納されている受験情報２０５ａを検索し、当該学籍番号と一致する受験者各席番号を有するレコードの科目コードを抽出する。
【０１４５】
具体例を示すと、例えば、ステップＳ３１において、端末装置３０からネットワーク７０を介して送られた当該学生の学籍番号が「Ｊ１９９９Ａ１２４」であった場合、受験情報２０５ａにおいて、この学籍番号「Ｊ１９９９Ａ１２４」と一致する受験者各席番号を有するレコードの科目コードは「Ａ１１２５３」となる。そのため、この場合、本ステップにおいて科目コード「Ａ１１２５３」が抽出されることとなる。
【０１４６】
ステップＳ３３：
本ステップでは、例えば、図８に例示した接続制御手段２５ａにおいて、図１１に例示した試験内容情報格納手段２０２から、当該学生が受験を希望する試験科目の試験開始時間を参照する。
【０１４７】
具体的には、例えば、接続制御手段２５ａによって、ステップＳ３２において受験情報格納手段２０５から抽出された科目コードを有する試験内容情報２０２ａ〜２０２ｆを、試験内容情報格納手段２０２から抽出し、抽出した試験内容情報２０２ａ〜２０２ｆに示される試験実施日及び時限から当該試験科目の試験開始時間を抽出する。
【０１４８】
具体例を示すと、例えば、ステップＳ３２において受験情報格納手段２０５から抽出された科目コードが「Ａ１１２５３」であった場合、この科目コード「Ａ１１２５３」を有する試験内容情報２０２ａ〜２０２ｆは、図１２に例示する試験内容情報２０２ａとなる。この場合、接続制御手段２５ａは、この試験内容情報２０２ａに示される試験実施日「２００１．７．１０」及び時限「０１」を抽出し、これらの情報から試験開始時間を抽出する。前述したように、試験実施日「２００１．７．１０」は、２００１年７月１０日を意味し、時限「０１」は１時限目を意味する。ここで、例えば、１時限目が９：００〜１０：３０を意味する場合、抽出される試験開始時間は、２００１年７月１０日９時となる。
【０１４９】
ステップＳ３４：
本ステップでは、例えば、現在時刻がステップＳ３３において抽出された試験開始時間前の一定時間内であるか否か判断する。
【０１５０】
具体的には、例えば、試験開始時間が２００１年７月１０日９時であり、ここでいう一定時間が３０分であった場合、本ステップでは、現在時刻が２００１年７月１０日の８：３０〜９：００の範囲であるか否かが判断される。
【０１５１】
ここで、現在時刻がステップＳ３３において抽出された試験開始時間前の一定時間内であると判断された場合、例えば、ステップＳ３５に進む。一方、現在時刻がステップＳ３３において抽出された試験開始時間前の一定時間内でないと判断された場合、例えば、ステップＳ３７に進む。
【０１５２】
ステップＳ３５：
本ステップでは、例えば、図８に例示した接続制御手段２５ａにおいて、端末装置３０のログインを許可し、待機画面を示す情報を、ネットワーク７０を介し、ログインを行った端末装置３０に送信する。
【０１５３】
送信された待機画面を示す情報は、例えば、この端末装置３０の試験問題情報取得手段３３において受信され、受信された待機画面を示す情報は、例えば、試験問題情報表示手段３４に送られる。待機画面を示す情報が送られた試験問題情報表示手段３４は、例えば、この情報に示される待機画面を表示させ、受験者に閲覧させる。受験者は、この待機画面の閲覧により、試験がまだ開始されていないことを知ることができる。
【０１５４】
ステップＳ３６：
本ステップでは、例えば、図８に例示した接続制御手段２５ａにおいて、現在時刻がステップＳ３３で抽出された試験開始時間に達したか否か判断する。
【０１５５】
ここで、現在時刻がステップＳ３３で抽出された試験開始時間に達したと判断された場合、例えば、ステップＳ４０に進む。一方、現在時刻がステップＳ３３で抽出された試験開始時間に達していないと判断された場合、ステップＳ３６に留まる。
【０１５６】
ステップＳ３７：
本ステップでは、例えば、現在時刻がステップＳ３３において抽出された試験開始時間後の一定時間内であるか否か判断する。
【０１５７】
具体的には、例えば、試験開始時間が２００１年７月１０日９時であり、ここでいう一定時間が３０分であった場合、本ステップでは、現在時刻が２００１年７月１０日の９：００〜９：３０の範囲であるか否かが判断される。
【０１５８】
ここで、現在時刻がステップＳ３３において抽出された試験開始時間後の一定時間内であると判断された場合、例えば、ステップＳ３８に進む。一方、現在時刻がステップＳ３３において抽出された試験開始時間後の一定時間内でないと判断された場合、例えば、ステップＳ３９に進む。
【０１５９】
ステップＳ３８：
本ステップでは、例えば、図８に例示した接続制御手段２５ａにおいて、端末装置３０のログインを許可する。
【０１６０】
ステップＳ３９：
本ステップでは、例えば、図８に例示した接続制御手段２５ａにおいて、端末装置３０のログインを拒否し、処理を終了する。
【０１６１】
ステップＳ４０：
本ステップでは、例えば、図８に例示した試験問題情報抽出手段２６ａにおいて、図９に例示した試験情報格納手段２１の学生情報格納手段２０４から、ログインを許可した受験生（学生）の秘密情報を抽出する。
【０１６２】
具体的には、例えば、試験問題情報抽出手段２６ａにより、ステップＳ３１において端末装置３０から提供された学籍番号をキーとして図１５に例示した学生情報格納手段２０４に格納されている学生情報２０４ａを検索し、当該学籍番号に合致するレコードの「パスワード」を秘密情報として抽出する。
【０１６３】
具体例を示すと、例えば、ステップＳ３１において端末装置３０から提供された学籍番号が「Ｊ１９９９Ａ１２４」であった場合、この学籍番号「Ｊ１９９９Ａ１２４」に合致する氏名「下北沢えり」のパスワード「ＲＴＦＤ３３２１」を秘密情報として抽出する。
【０１６４】
抽出された秘密情報は、例えば、図８に例示した試験問題情報配信手段２６ｂに送られ、例えば、次のステップＳ４１の処理に移る。
ステップＳ４１：
本ステップでは、例えば、図８に例示した試験問題情報抽出手段２６ａにおいて、ログインを許可した受験生（学生）に出題される試験問題のシャッフルＩＤを、図９に例示した試験情報格納手段２１の受験情報格納手段２０５から抽出する。
【０１６５】
具体的には、例えば、試験問題情報抽出手段２６ａにより、ステップＳ３１において端末装置３０から提供された学籍番号をキーとして図１６に例示した受験情報格納手段２０５に格納されている受験情報２０５ａを検索し、当該学籍番号に合致するレコードの「シャッフルＩＤ」を抽出する。
【０１６６】
具体例を示すと、例えば、ステップＳ３１において端末装置３０から提供された学籍番号が「Ｊ１９９９Ａ１２４」であった場合、この学籍番号「Ｊ１９９９Ａ１２４」に合致するレコードのシャッフルＩＤ「ＳＨ１５２４」を抽出する。
【０１６７】
ステップＳ４２：
本ステップでは、例えば、ステップＳ４１において抽出されたシャッフルＩＤが付された試験問題を、図１７に例示した試験問題情報格納手段２０６から抽出する。
【０１６８】
具体的には、例えば、試験問題情報抽出手段２６ａにより、ステップＳ４１において抽出されたシャッフルＩＤを有する試験問題情報２０６ａ〜２０６ｆを、図１７に例示した試験問題情報格納手段２０６から抽出する。
【０１６９】
具体例を示すと、例えば、ステップＳ４１において抽出されたシャッフルＩＤが「ＳＨ１５２４」であった場合、このシャッフルＩＤ「ＳＨ１５２４」を有する試験問題情報２０６ａが、図１７に例示した試験問題情報格納手段２０６から抽出される。
【０１７０】
抽出された試験問題情報２０６ａ〜２０６ｆは、例えば、図８に例示した試験問題情報配信手段２６ｂに送られ、例えば、次のステップＳ４３の処理に移る。
ステップＳ４３：
本ステップでは、例えば、図８に例示した試験問題情報配信手段２６ｂにおいて、ステップＳ４０において抽出された秘密情報（パスワード等）と、ステップＳ４２において抽出された試験問題情報２０６ａ〜２０６ｆ（試験問題情報が有する設問ＩＤ及び選択肢ＩＤによって特定される設問情報２０３ａ〜２０３ｆをも含む）とを、ネットワーク７０を介し、ログインを許可した当該学生が利用する端末装置３０に配信する。配信されたこれらの情報は、例えば、図２５に例示した端末装置３０の試験問題情報取得手段３３によって受信され、受信されたこれらの情報は、試験問題情報表示手段３４に送られた後、この試験問題情報表示手段３４において表示される（試験問題情報配信ステップ）。
【０１７１】
図３１は、本ステップにおいて端末装置３０の試験問題情報表示手段３４において表示される秘密情報及び試験問題情報２０６ａ〜２０６ｆを有する試験問題表示画面３００を例示した図である。
【０１７２】
図３１に例示するように、試験問題表示画面３００は、例えば、送られた秘密情報を表示する秘密情報表示欄３０１、試験問題を構成する設問のインデックスを表示するインデックス表示欄３０２、設問内容が表示される設問表示部３０３、及びログアウトを行う際にクリックするログアウトボタン３０４を有している。また、設問表示部３０３は、例えば、設問番号が表示される設問番号表示欄３０３ａ、設問内容が表示される設問内容表示欄３０３ｂ、選択肢の内容が表示される選択肢内容表示欄３０３ｃ、解答が入力される解答欄３０３ｄ、及び入力した解答内容を確定する際にクリックする確認ボタン３０３ｅを有している。
【０１７３】
ここで、秘密情報表示欄３０１には、例えば、試験実施装置２０から配信された秘密情報の内容（例えばパスワード）が表示される。図３１の例では、この秘密情報表示欄３０１にパスワード「ＷＳＡＲ１２５６」が表示される。なお、この秘密情報表示欄３０１に表示されるパスワード等の秘密情報は、ログインを行った受験者自身の秘密情報である。そのため、この受験者には、この秘密情報表示欄３０１が表示された試験問題表示画面３００を他人に見せたくないという意思が働く。これにより、この受験者がこの試験問題表示画面３００を他の受験者に見せることによって行われる答案の教え合いを防止することができ、さらに、この受験者が他人に受験を行わせるという替え玉受験をも防止することができる。
【０１７４】
インデックス表示欄３０２には、例えば、試験実施装置２０から配信された試験問題情報２０６ａ〜２０６ｆが有する「表示設問番号」に示される設問番号が羅列される。受験者は、例えば、このように羅列された設問番号をクリックすることにより、クリックした設問番号に該当する設問の内容を設問表示部３０３に表示させることができる。
【０１７５】
設問番号表示欄３０３ａには、例えば、インデックス表示欄３０２の設問番号がクリックされることによって選択された設問番号が表示される。
設問内容表示欄３０３ｂには、例えば、インデックス表示欄３０２の設問番号がクリックされることによって選択された設問番号に該当する設問内容が表示される。なお、この設問内容表示欄３０３ｂに表示される設問内容は、例えば、インデックス表示欄３０２に表示された設問番号をクリックすることにより特定された設問番号に対応する「表示設問番号」を、試験実施装置２０から送られた試験問題情報２０６ａ〜２０６ｆから抽出し、その「表示設問番号」に対応する「設問ＩＤ」を試験問題情報２０６ａ〜２０６ｆから抽出し、さらに、抽出した「設問ＩＤ」に対応する設問情報２０３ａ〜２０３ｆを抽出することによって得られた内容である。
【０１７６】
選択肢内容表示欄３０３ｃには、例えば、設問内容表示欄３０３ｂに表示された設問内容に対応する選択肢の内容が表示される。なお、この選択肢内容表示欄３０３ｃに表示される選択肢の内容は、例えば、試験実施装置２０から送られた試験問題情報２０６ａ〜２０６ｆが有する「表示選択肢番号」及び「選択肢ＩＤ」（インデックス表示欄３０２に表示された設問番号をクリックすることにより特定された設問番号に対応する「表示設問番号」に対応する「表示選択肢番号」及び「選択肢ＩＤ」）を抽出し、抽出した「表示選択肢番号」、及び抽出した「選択肢ＩＤ」に対応する設問情報２０３ａ〜２０３ｆ中の「選択肢内容」であるものとする。
【０１７７】
解答欄３０３ｄは、例えば、受験者が選択肢番号等の解答内容を入力する入力欄である。
確認ボタン３０３ｅは、例えば、受験者が解答欄３０３ｄに解答内容を入力した後、その内容を確定させる際にクリックするボタンである。
【０１７８】
ステップＳ４４：
本ステップでは、例えば、図８に例示した接続制御手段２５ａによって、試験終了時間が経過したか否か判断する。
【０１７９】
ここで、試験終了時間が経過したと判断された場合、例えば、ステップＳ５１に進む。一方、試験終了時間が経過していないと判断された場合、例えば、ステップＳ４５に移る。
【０１８０】
ステップＳ４５：
本ステップでは、例えば、学生からの指示を受け付ける。
具体的には、例えば、受験者によって行われた図３１に例示したインデックス表示欄３０２をクリックすることによる設問指定入力、或いは、ログアウト要求入力を、その受験者が利用する端末装置３０によって受け付ける。
【０１８１】
ステップＳ４６：
端末装置３０において、ステップＳ４５において入力された指示が設問指定入力であったか否か判断する。
【０１８２】
ここで、ステップＳ４５において入力された指示が設問指定入力であった場合、例えば、ステップＳ４７に移る。一方、ステップＳ４５において入力された指示が設問指定入力でなく、ログアウト要求入力であった場合、例えば、その旨の情報を、ネットワーク７０を介して試験実施装置２０に送信し、ステップＳ４９の処理に移る。
【０１８３】
ステップＳ４７：
本ステップでは、例えば、図２５に例示した端末装置３０の試験問題情報表示手段３４において、ステップＳ４５において指定された設問内容を表示する（図３１）。
【０１８４】
ステップＳ４８：
本ステップでは、例えば、端末装置３０において学生からの解答内容の入力を受け付け、入力された解答内容を答案情報２０７ａ〜２０７ｆとして、図１９に例示した試験実施装置２０の答案情報格納手段２０７に格納する（解答内容情報取得ステップ）。
【０１８５】
具体的には、例えば、図２５に例示した端末装置３０の解答内容情報入力手段３５において入力された解答内容情報を、解答内容情報送信手段３６に送り、解答内容情報送信手段３６によって、この解答内容情報を、ネットワーク７０を介して試験実施装置２０に送信する。この解答内容情報が送信された試験実施装置２０は、例えば、図８に例示した情報送受信手段２５ｂを介し、解答内容情報取得手段２７ａによってこの解答内容情報を取得し、取得したこの解答内容情報を、答案情報格納手段２０７に格納する。
【０１８６】
なお、例えば、この解答内容情報の格納後、受験者は、その解答内容の修正を行うことができないこととし、この格納された解答内容情報に対する正解内容を、端末装置３０に表示させることとしてもよい。
【０１８７】
図３２は、このように端末装置３０に表示させる正解内容を示す正解情報表示画面３１０を例示した図である。
図３２に例示するように、この正解情報表示画面３１０は、例えば、パスワード等の受験者の秘密情報が表示される秘密情報表示欄３１１、設問番号が表示される設問番号表示欄３１２、正解内容が表示される正解表示欄３１３及びその解説内容が表示される解答解説表示欄３１４を有している。
【０１８８】
ステップＳ４９：
本ステップでは、例えば、図８に例示した試験実施装置２０の接続制御手段２５ａにおいて、現在時刻が試験終了時間前の一定時間内であるか否か判断する。
【０１８９】
具体的には、例えば、試験終了時間が２００１年７月１０日１０時３０分であり、ここでいう一定時間が３０分であった場合、本ステップでは、現在時刻が２００１年７月１０日の１０：００〜１０：３０の範囲であるか否かが判断される。
【０１９０】
ここで、現在時刻が試験終了時間前の一定時間内であると判断された場合、例えば、ステップＳ５１に進む。一方、現在時刻が試験終了時間前の一定時間内でないと判断された場合、例えば、ステップＳ５０に進む。
【０１９１】
ステップＳ５０：
本ステップでは、例えば、端末装置３０のログアウトを許可せず、ステップＳ４４に進む。
【０１９２】
ステップＳ５１：
本ステップでは、例えば、図８に例示した試験実施装置２０の接続制御手段２５ａにおいて、端末装置３０の試験実施装置２０からのログアウト処理を行い、処理を終了する。
【０１９３】
図３３は、本形態における試験実施システム１０に対する端末装置３０〜６０のログイン可能時間帯と、ログアウト可能時間帯とを例示した概念図である。
図３３の例では、試験実施時間（１時間）は、試験時間分割時３２１によって前半３０分と、後半３０分に分割されており、端末装置３０〜６０は、例えば、試験開始時間３２０の３０分前から試験時間分割時３２１前においてのみ試験実施装置２０へのログインを許可され、試験時間分割時３２１後においてのみログアウトを許可される。また、例えば、試験実施時間の終了後には強制的にログアウトされる。さらに、試験開始時間３２０前にログインした場合であっても、端末装置３０〜６０には試験問題を表示する試験問題表示画面は表示されず、待機画面のみが表示される。
【０１９４】
これにより、受験者は定められた試験実施時間においてのみ試験問題を閲覧することができ、その解答の入力を行うことができる。結果、受験者は、通常の試験と同様、定められた試験時間においてのみ受験が許可され、解答制限時間のごまかし等の不正を防止することができる。
【０１９５】
さらに、この場合、例えば、受験者は、このように生成された試験問題を、定められた試験開始時間３２０以降においてのみ閲覧でき、さらに、それに対する解答を、定められた試験時間内においてのみすることが可能である。そのため、前述したように出題順序が並び替えられることによって内容が相違する試験問題を、学生間で照合し、不正を行おうとする場合であっても、その照合、解答を行うことが可能な時間は、各受験者が各自の試験問題の内容を知ることができる試験開始時から、その解答を行うことができる試験時間終了時までといった限られた時間に限定される。このような限られた時間に出題順序が並び替えられた試験問題相互を照合することは著しく困難であり、結果、試験時における解答の教え合いといった不正を効果的に防止することができる。
【０１９６】
また、上述のようにログインを行うことができる時間に幅を持たせることにより、試験開始に伴うログインの集中によるホスト負荷を低減させることができる。
【０１９７】
次に、図２６に例示したフローチャートのステップＳ３における処理の詳細について説明する。
図３４は、図２６に例示したフローチャートのステップＳ３における処理の詳細を説明するためのフローチャートである。以下、このフローチャートに沿って、このステップＳ３における処理の詳細を説明していく。
【０１９８】
ステップＳ６１：
本ステップでは、例えば、図８に例示した試験実施装置２０の解答内容採点手段２７ｂにおいて、図９に例示した試験情報格納手段２１の答案情報格納手段２０７から、受験者によって解答された解答内容を示す答案情報２０７ａ〜２０７ｆを抽出する。
【０１９９】
答案情報２０７ａ〜２０７ｆが抽出されると、例えば、次に、ステップＳ６２に移る。
ステップＳ６２：
本ステップでは、例えば、図８に例示した試験実施装置２０の解答内容採点手段２７ｂにおいて、図１３に例示した設問情報格納手段２０３に格納されている設問情報２０３ａ〜２０３ｆを参照し、ステップＳ６１において抽出された答案情報２０７ａ〜２０７ｆに示される解答内容の正誤判断を行う（解答内容採点ステップ）。
【０２００】
具体的には、例えば、ステップＳ６１において抽出された答案情報２０７ａ〜２０７ｆに示される「設問ＩＤ」に対応する設問情報２０３ａ〜２０３ｆを参照し、その設問情報２０３ａ〜２０３ｆが有する個別設問正解内容情報である「正解選択肢ＩＤ」と、答案情報２０７ａ〜２０７ｆに示される「解答選択肢ＩＤ」とを照合することによって解答内容の正誤判断を行う。
【０２０１】
ステップＳ６３：
本ステップでは、例えば、ステップＳ６２で行われた正誤判断結果を、図１３に例示した答案情報格納手段２０７に格納する。
【０２０２】
具体的には、例えば、ステップＳ６２で行われた正誤判断結果を、図２０に例示した答案情報２０７ａのように、答案情報２０７ａ〜２０７ｆの「正誤」欄に格納する。
【０２０３】
ステップＳ６４：
本ステップでは、例えば、図８に例示した設問正解率算出手段２８ａにおいて、図１９に例示した答案情報格納手段２０７の答案情報２０７ａ〜２０７ｆを参照し、設問ごとの正解率を算出する（設問正解率算出ステップ）。
【０２０４】
各設問の正解率が算出されると、例えば、次に、ステップＳ６５に移る。
ステップＳ６５：
本ステップでは、例えば、図８に例示した設問正解率算出手段２８ａにおいて、ステップＳ６４において算出した各設問ごとの正解率を採点結果情報２０８ａ〜２０８ｆとして、図２１に例示した採点結果情報格納手段２０８に格納する。
【０２０５】
採点結果情報２０８ａ〜２０８ｆが採点結果情報格納手段２０８に格納されると、例えば、次に、ステップＳ６６に移る。
ステップＳ６６：
本ステップでは、例えば、図８に例示した採点内容補正手段２８ｂにおいて、ステップＳ６３において行われた採点内容を補正し、補正後の採点内容を試験結果情報２０９ａ〜２０９ｆとして、図２３に例示したように試験結果情報格納手段２０９に格納する（採点内容補正ステップ）。
【０２０６】
本ステップにおける採点内容の補正は、例えば、各受験者が受験した試験問題相互間の難易度の不均衡が是正されるように行われる。具体的には、例えば、ステップＳ６５において採点結果情報格納手段２０８に格納された採点結果情報２０８ａ〜２０８ｆを参照し、採点結果情報２０８ａ〜２０８ｆに示される正解率が低い設問を抽出し、このように抽出した正解率が低い設問に対する配点を高く設定し直すことにより、採点内容の補正を行う。
【０２０７】
採点内容の補正が終了すると、例えば、次に、ステップＳ６７に移る。
ステップＳ６７：
本ステップでは、例えば、ステップＳ６６において採点内容の補正が行われた試験結果情報２０９ａ〜２０９ｆを、各受験者（学生）が利用する端末装置３０に送信し、送信した試験結果情報２０９ａ〜２０９ｆに示される内容を、各端末装置３０において表示させる。
【０２０８】
具体的には、例えば、まず、図８に例示した試験結果情報送信手段２９は、試験結果情報格納手段２０９に格納されている試験結果情報２０９ａ〜２０９ｆを抽出し、抽出した試験結果情報２０９ａ〜２０９ｆを、情報送受信手段２５ｂ、ネットワーク７０を介し、各受験者が利用する端末装置３０に送信する。
【０２０９】
試験結果情報２０９ａ〜２０９ｆが送信された端末装置３０は、例えば、図２５に例示した試験結果情報受信手段３７において、各受験者にそれぞれ対応する試験結果情報２０９ａ〜２０９ｆを受信し、受信した試験結果情報２０９ａ〜２０９ｆを試験結果情報表示手段３８に送る。試験結果情報表示手段３８に送られた試験結果情報２０９ａ〜２０９ｆは、例えば、この試験結果情報表示手段３８において表示され、各受験者は、このように表示された試験結果情報２０９ａ〜２０９ｆを閲覧することにより、自己の試験結果を知ることができる。
【０２１０】
このように、本形態では、個々の設問内容を示す複数の個別設問内容情報２０３ａａが格納されている設問情報格納手段２０３から複数の個別設問内容情報２０３ａａを抽出し、抽出された複数の個別設問内容情報２０３ａａに示される個々の設問内容によって構成され、個々の設問内容の出題順序が並び替えられた試験問題を生成し、生成された試験問題を示す情報である試験問題情報２０６ａ〜２０６ｆを、ネットワーク７０を介し、受験者が利用する端末装置３０〜６０に送信し、送信した試験問題情報２０６ａ〜２０６ｆに示される試験問題の内容を、定められた試験開始時間以降においてのみ、端末装置３０〜６０に表示させ、端末装置３０〜６０に表示させた試験問題の内容に対し、受験者によって、端末装置３０〜６０を用い、定められた試験時間内に入力された解答内容を示す解答内容情報を、ネットワーク７０を介して取得することとしたため、受験者ごとに内容が相違する試験問題によって試験を実施することが可能となり、受験中の学生の状況を監視することができない通信手段を用いた試験において、学生間における解答の教え合い等の不正を適切に防止することが可能となる。
【０２１１】
特に、本形態の方法では、例えば、受験者は、このように生成された試験問題を、定められた試験開始時間以降においてのみ閲覧でき、さらに、それに対する解答を、定められた試験時間内においてのみ可能である。そのため、このように出題順序が並び替えられることによって内容が相違する試験問題を、学生間で照合し、不正を行おうとする場合であっても、その照合、解答を行うことが可能な時間は、各受験者が各自の試験問題の内容を知ることができる試験開始時から、その解答を行うことができる試験時間終了時までといった限られた時間に限定される。このような限られた時間に出題順序が並び替えられた試験問題相互を照合することは著しく困難であり、結果、試験時における不正を効果的に防止することができる。
【０２１２】
また、本形態において、設問情報格納手段２０３に格納されている個別設問内容情報２０３ａａは、全ての受験者に対して必ず出題される個々の設問内容を示す固定個別設問内容情報と、任意に選択される個々の設問内容を示す選択個別設問内容情報と、を有し、試験問題の生成時、全ての固定個別設問内容情報と、任意に選定された一部の選択個別設問内容情報とを、設問情報格納手段２０３から抽出し、抽出した固定個別設問内容情報と選択個別設問内容情報とに示される個々の設問内容によって試験問題を生成することにより、受験生の数に応じ、固定問題と選択問題との比率を自由に変更することが可能となり、上述した、受験者間の問題内容を相違させ、受験時における不正を防止するという効果と、必要数の採点結果データを取得し、受験生間における試験問題の難易度等の不公平を適切に是正するという効果とのバランスを適切に保つことが可能となる。結果、受験生間の不公平を是正しつつ、試験中における不正を適切に防止することができる。
【０２１３】
また、本形態において、個別設問内容情報２０３ａａに示される個々の設問内容を、複数の選択肢の中から正しい選択肢を選び出すことによって解答を行う多肢選択式の設問内容とし、試験問題の生成時、抽出された複数の個別設問内容情報２０３ａａに示される個々の設問内容によって構成され、個々の設問内容が有する選択肢の配列が、並び替えられた試験問題を生成することとしたため、同一数の個別設問内容情報２０３ａａからより多くの種類の試験問題を生成することが可能となり、受験者間の問題内容を相違させ、受験時における不正を防止するという効果をより増大させることが可能となる。
【０２１４】
さらに、この場合、試験問題を構成する個別設問内容情報２０３ａａを増加させることなく、生成される試験問題の数を増やすことが可能となるため、必要数の採点結果データを十分に確保しつつ、受験生間における問題内容を相違させ、受験時における不正を効果的に防止することができる。
【０２１５】
また、本形態では、各受験生が利用する端末装置３０〜６０への試験問題の配信時、各受験者に関するパスワード等の秘密情報を、試験問題情報２０６ａとともに、ネットワーク７０を介し、各端末装置３０〜６０に送信し、送信した秘密情報の内容を、試験問題情報２０６ａに示される内容とともに、各端末装置３０〜６０に表示させることとしたため、各受験生に、この秘密情報が表示された試験問題表示画面を他人に見せたくないという意思を働かせることが可能となり、結果、この受験者がこの試験問題表示画面を他の受験者に見せることによって行われる答案の教え合いを防止することができ、さらに、この受験者が他人に受験を行わせるという替え玉受験をも防止することができる。
【０２１６】
さらに、本形態において、試験時間が所定の試験時間分割時において前半と後半とに分割され、試験実施装置２０は、端末装置３０〜６０に対して、試験時間分割時前においてのみ、ログインを許可し、試験時間分割時から試験時間の終了時までにおいてのみ、ログアウトを許可することとしたため、試験実施装置２０にログインすることにより出題された試験問題に関する情報を取得した受験者がこの試験実施装置２０からログアウトし、これから試験実施装置２０にログインしようとしている他の受験者に、電子メール等によって試験問題の情報を配信するといった不正を効果的に防止することができる。
【０２１７】
また、本形態において、個々の設問内容に対する正解内容を示す複数の個別設問正解内容情報２０３ａｂが設問情報格納手段２０３に格納されているシステム環境下で、取得された解答内容情報に示される解答内容と、設問情報格納手段２０３に格納されている個別設問正解内容情報２０３ａｂに示される正解内容とを照合し、解答内容の正誤判断を行うことにより、解答内容に対する採点を行い、この解答内容の正誤判断の結果を答案情報格納手段２０７に格納し、この答案情報格納手段２０７に格納された解答内容の正誤判断の結果を集計し、個々の設問ごとの正解率を算出し、このように算出された個々の設問ごとの正解率を基に、解答内容の採点に対する補正を行うこととしたため、受験生間における試験問題の相違によって生じる試験問題の難易度の不均衡等の不公平を効果的に是正することが可能となる。
【０２１８】
さらに、本形態における端末装置３０〜６０への試験問題の表示を、各設問ごとに行い、この端末装置３０〜６０に各設問ごとに表示させた試験問題の各設問に対し、設問が表示されるたびに受験者により端末装置３０〜６０を用いて入力された設問に対する解答内容を示す解答内容情報を、ネットワーク７０を介し、試験実施装置２０に提供することとすることにより、学生間における解答の教え合いを行うことがより困難となり、結果、試験時における不正をより効果的に防止することが可能となる。この効果は、一旦試験実施装置２０に取得された解答内容情報に示される解答内容を、受験者が修正できないこととすることにより、さらに増大させることが可能となる。
【０２１９】
なお、本発明は、上述の実施の形態に限定されるものではない。
例えば、本形態では、多肢選択式の設問である複数の固定問題と選択問題とを混合し、各設問の出題順序及び選択肢の順序を並び替えることにより、試験問題を生成することとしたが、各設問の出題順序の並び替えを行うことなく、選択肢の順序のみを並び替え試験問題の生成を行うこととしてもよい。また、逆に、選択肢の順序の並び替えを行うことなく、各設問の出題順序を並び替えることのみにより、試験問題の生成を行うこととしてもよい。
【０２２０】
なお、上記の処理機能は、サーバコンピュータとクライアントコンピュータとによって実現することができる。その場合、試験実施装置２０が有すべき機能の処理内容を記述したサーバプログラム、及び端末装置３０〜６０が有すべき機能の処理内容を記述したクライアントプログラムが提供される。サーバプログラムをサーバコンピュータで実行することにより、試験実施装置２０の処理機能がサーバコンピュータ上で実現される。また、クライアントプログラムをクライアントコンピュータで実行することにより、端末装置３０〜６０の処理機能がクライアントコンピュータ上で実現される。
【０２２１】
処理内容を記述したサーバプログラムやクライアントプログラムは、コンピュータで読みとり可能な記録媒体に記録しておくことができる。コンピュータで読みとり可能な記録媒体としては、磁気記録装置、光ディスク、光磁気記録媒体、半導体メモリなどがある。磁気記録装置には、ハードディスク装置（ＨＤＤ）、フレキシブルディスク（ＦＤ）、磁気テープなどがある。光ディスクには、ＤＶＤ（Ｄｉｇｉｔａｌ  Ｖｅｒｓａｔｉｌｅ  Ｄｉｓｃ）、ＤＶＤ−ＲＡＭ（Ｒａｎｄｏｍ  Ａｃｃｅｓｓ  Ｍｅｍｏｒｙ）、ＣＤ−ＲＯＭ（Ｃｏｍｐａｃｔ  Ｄｉｓｃ  Ｒｅａｄ  Ｏｎｌｙ  Ｍｅｍｏｒｙ）、ＣＤ−Ｒ（Ｒｅｃｏｒｄａｂｌｅ）／ＲＷ（ＲｅＷｒｉｔａｂｌｅ）などがある。光磁気記録媒体には、ＭＯ（Ｍａｇｎｅｔｏ−Ｏｐｔｉｃａｌ  ｄｉｓｃ）などがある。
【０２２２】
サーバプログラムやクライアントプログラムを流通させる場合には、例えば、各プログラムが記録されたＤＶＤ、ＣＤ−ＲＯＭなどの可搬型記録媒体が販売される。また、クライアントプログラムをサーバコンピュータの記憶装置に格納しておき、ネットワークを介して、サーバコンピュータからクライアントコンピュータにクライアントプログラムを転送することもできる。
【０２２３】
サーバプログラムを実行するサーバコンピュータは、例えば、可搬型記録媒体に記録されたサーバプログラムを、自己の記憶装置に格納する。そして、サーバコンピュータは、自己の記憶装置からサーバプログラムを読みとり、サーバプログラムに従った処理を実行する。なお、サーバコンピュータは、可搬型記録媒体から直接サーバプログラムを読みとり、そのサーバプログラムに従った処理を実行することもできる。
【０２２４】
クライアントプログラムを実行するクライアントコンピュータは、例えば、可搬型記録媒体に記録されたクライアントプログラムもしくはサーバコンピュータから転送されたクライアントプログラムを、自己の記憶装置に格納する。そして、クライアントコンピュータは、自己の記憶装置からクライアントプログラムを読みとり、クライアントプログラムに従った処理を実行する。なお、クライアントコンピュータは、可搬型記録媒体から直接クライアントプログラムを読みとり、そのクライアントプログラムに従った処理を実行することもできる。また、クライアントコンピュータは、サーバコンピュータからクライアントプログラムが転送される毎に、逐次、受け取ったクライアントプログラムに従った処理を実行することもできる。
【０２２５】
（付記１）  通信手段を用い、コンピュータによって受験者に対する試験を実施する試験実施方法において、
個々の設問内容を示す複数の個別設問内容情報が格納されている記録装置から複数の前記個別設問内容情報を抽出する個別設問内容情報抽出ステップと、
前記個別設問情報抽出ステップにおいて抽出された複数の前記個別設問内容情報に示される前記個々の設問内容によって構成され、前記個々の設問内容の出題順序が並び替えられた試験問題を生成する試験問題生成ステップと、
前記試験問題生成ステップにおいて生成された前記試験問題を示す情報である試験問題情報を、通信手段を介し、前記受験者が利用する端末装置に送信し、送信した前記試験問題情報に示される前記試験問題の内容を、定められた試験開始時間以降においてのみ、前記端末装置に表示させる試験問題情報配信ステップと、
前記試験問題情報配信ステップにおいて前記端末装置に表示させた前記試験問題の内容に対し、前記受験者によって、定められた試験時間内に入力された解答内容を示す解答内容情報を、通信手段を介して取得する解答内容情報取得ステップと、
を有することを特徴とする試験実施方法。
【０２２６】
（付記２）  前記記録装置に格納されている前記個別設問内容情報は、
全ての前記受験者に対して必ず出題される個々の設問内容を示す固定個別設問内容情報と、任意に選択される個々の設問内容を示す選択個別設問内容情報と、を有し、
前記個別設問内容情報抽出ステップは、
全ての前記固定個別設問内容情報と、任意に選定された一部の前記選択個別設問内容情報とを、前記記録装置から抽出し、
前記試験問題生成ステップは、
前記個別設問情報抽出ステップにおいて抽出された前記固定個別設問内容情報と前記選択個別設問内容情報とに示される前記個々の設問内容によって構成され、前記個々の設問内容の出題順序が並び替えられた前記試験問題を生成する、
ことを特徴とする付記１記載の試験実施方法。
【０２２７】
（付記３）  前記個別設問内容情報に示される前記個々の設問内容は、
複数の選択肢の中から正しい選択肢を選び出すことによって解答を行う多肢選択式の設問内容であり、
前記試験問題生成ステップは、
前記個別設問情報抽出ステップにおいて抽出された複数の前記個別設問内容情報に示される前記個々の設問内容によって構成され、前記個々の設問内容が有する前記選択肢の配列が並び替えられた試験問題を生成する、
ことを特徴とする付記１記載の試験実施方法。
【０２２８】
（付記４）  前記試験問題情報配信ステップは、
前記受験者に関する秘密情報を、前記試験問題情報とともに、通信手段を介し、前記端末装置に送信し、送信した前記秘密情報の内容を、前記試験問題情報に示される内容とともに、前記端末装置に表示させる、
ことを特徴とする付記１記載の試験実施方法。
【０２２９】
（付記５）  前記試験時間は、
所定の試験時間分割時において前半と後半とに分割され、
前記端末装置に対して、
前記試験時間分割時前においてのみ、ログインを許可し、前記試験時間分割時から前記試験時間の終了時までにおいてのみ、ログアウトを許可する、
ことを特徴とする付記１記載の試験実施方法。
【０２３０】
（付記６）  前記試験問題情報配信ステップは、
前記試験問題の内容を、前記端末装置に１問ずつ表示させ、
前記解答内容情報取得ステップは、
前記試験問題情報配信ステップにおいて前記端末装置に１問ずつ表示させた前記試験問題の各設問に対し、前記設問が表示されるたびに前記受験者により前記端末装置を用いて入力された前記設問に対する解答内容を示す解答内容情報を、通信手段を介して取得する、
ことを特徴とする付記１記載の試験実施方法。
【０２３１】
（付記７）  前記解答内容情報取得ステップにおいて一旦取得された前記解答内容情報に示される前記解答内容は、前記受験者による修正を受け付けない、
ことを特徴とする付記６記載の試験実施方法。
【０２３２】
（付記８）  前記個々の設問内容に対する正解内容を示す複数の個別設問正解内容情報が記録装置に格納されているシステム環境下で、
前記解答内容情報取得ステップにおいて取得された前記解答内容情報に示される前記解答内容と、前記記録装置に格納されている前記個別設問正解内容情報に示される前記正解内容とを照合し、前記解答内容の正誤判断を行うことにより、前記解答内容に対する採点を行う解答内容採点ステップと、
前記解答内容の正誤判断の結果を集計し、前記個々の設問ごとの正解率を算出する設問正解率算出ステップと、
前記設問正解率算出ステップにおいて算出された前記個々の設問ごとの正解率を基に、前記解答内容採点ステップにおいて行われた前記解答内容の採点に対する補正を行う採点内容補正ステップと、
を有することを特徴とする付記１記載の試験実施方法。
【０２３３】
（付記９）  受験者に対する試験を実施する試験実施方法において、
個々の設問内容を示す個別設問内容情報の中から複数の前記個別設問内容情報を抽出する個別設問内容情報抽出ステップと、
前記個別設問情報抽出ステップにおいて抽出された複数の前記個別設問内容情報に示される前記個々の設問内容によって構成され、前記個々の設問内容の出題順序が並び替えられた試験問題を生成する試験問題生成ステップと、
前記試験問題生成ステップにおいて生成された前記試験問題を示す情報である試験問題情報を、前記受験者に提供し、提供した前記試験問題情報に示される前記試験問題の内容を、定められた試験開始時間以降においてのみ、前記受験者に閲覧させる試験問題情報配信ステップと、
前記試験問題情報配信ステップにおいて前記受験者に閲覧させた前記試験問題の内容に対し、前記受験者によって、定められた試験時間内に行われた解答の内容を示す解答内容情報を、取得する解答内容情報取得ステップと、
を有することを特徴とする試験実施方法。
【０２３４】
（付記１０）  コンピュータを用い、受験を行う受験方法において、
個々の設問内容を示す複数の個別設問内容情報が格納されている記録装置から抽出された複数の前記個別設問内容情報に示される前記個々の設問内容によって構成され、前記個々の設問内容の出題順序が並び替えられた試験問題を示す試験問題情報を、通信手段を介して受信する試験問題情報取得ステップと、
前記試験問題情報取得ステップにおいて受信された前記試験問題情報に示される前記試験問題の内容を、定められた試験開始時間以降においてのみ表示する試験問題情報表示ステップと、
前記試験問題情報表示ステップにおいて前記端末装置に表示させた前記試験問題の内容に対し、前記受験者によって、定められた試験時間内に入力された解答内容を示す解答内容情報を、通信手段を介して送信する解答内容情報送信ステップと、
を有することを特徴とする受験方法。
【０２３５】
（付記１１）  通信手段を用い、コンピュータによって受験者に対する試験を実施するための試験実施プログラムにおいて、
コンピュータに、
個々の設問内容を示す複数の個別設問内容情報が格納されている記録装置から複数の前記個別設問内容情報を抽出する個別設問内容情報抽出ステップと、
前記個別設問情報抽出ステップにおいて抽出された複数の前記個別設問内容情報に示される前記個々の設問内容によって構成され、前記個々の設問内容の出題順序が並び替えられた試験問題を生成する試験問題生成ステップと、
前記試験問題生成ステップにおいて生成された前記試験問題を示す情報である試験問題情報を、通信手段を介し、前記受験者が利用する端末装置に送信し、送信した前記試験問題情報に示される前記試験問題の内容を、定められた試験開始時間以降においてのみ、前記端末装置に表示させる試験問題情報配信ステップと、
前記試験問題情報配信ステップにおいて前記端末装置に表示させた前記試験問題の内容に対し、前記受験者によって、定められた試験時間内に入力された解答内容を示す解答内容情報を、通信手段を介して取得する解答内容情報取得ステップと、
を実行させるための試験実施プログラム。
【０２３６】
（付記１２）  コンピュータを用い、受験を行うための受験プログラムにおいて、
コンピュータに、
個々の設問内容を示す複数の個別設問内容情報が格納されている記録装置から抽出された複数の前記個別設問内容情報に示される前記個々の設問内容によって構成され、前記個々の設問内容の出題順序が並び替えられた試験問題を示す試験問題情報を、通信手段を介して受信する試験問題情報取得ステップと、
前記試験問題情報取得ステップにおいて受信された前記試験問題情報に示される前記試験問題の内容を、定められた試験開始時間以降においてのみ表示させる試験問題情報表示ステップと、
前記試験問題情報表示ステップにおいて表示させた前記試験問題の内容に対し、前記受験者によって、定められた試験時間内に入力された解答内容を示す解答内容情報を、通信手段を介して送信する解答内容情報送信ステップと、
を実行させるための受験プログラム。
【０２３７】
（付記１３）  コンピュータに、
個々の設問内容を示す複数の個別設問内容情報が格納されている記録装置から複数の前記個別設問内容情報を抽出する個別設問内容情報抽出ステップと、
前記個別設問情報抽出ステップにおいて抽出された複数の前記個別設問内容情報に示される前記個々の設問内容によって構成され、前記個々の設問内容の出題順序が並び替えられた試験問題を生成する試験問題生成ステップと、
前記試験問題生成ステップにおいて生成された前記試験問題を示す情報である試験問題情報を、通信手段を介し、前記受験者が利用する端末装置に送信し、送信した前記試験問題情報に示される前記試験問題の内容を、定められた試験開始時間以降においてのみ、前記端末装置に表示させる試験問題情報配信ステップと、
前記試験問題情報配信ステップにおいて前記端末装置に表示させた前記試験問題の内容に対し、前記受験者によって、定められた試験時間内に入力された解答内容を示す解答内容情報を、通信手段を介して取得する解答内容情報取得ステップと、
を実行させるための試験実施プログラムが記録されたコンピュータ読みとり可能な記録媒体。
【０２３８】
（付記１４）  コンピュータに、
個々の設問内容を示す複数の個別設問内容情報が格納されている記録装置から抽出された複数の前記個別設問内容情報に示される前記個々の設問内容によって構成され、前記個々の設問内容の出題順序が並び替えられた試験問題を示す試験問題情報を、通信手段を介して受信する試験問題情報取得ステップと、
前記試験問題情報取得ステップにおいて受信された前記試験問題情報に示される前記試験問題の内容を、定められた試験開始時間以降においてのみ表示させる試験問題情報表示ステップと、
前記試験問題情報表示ステップにおいて表示させた前記試験問題の内容に対し、前記受験者によって、定められた試験時間内に入力された解答内容を示す解答内容情報を、通信手段を介して送信する解答内容情報送信ステップと、
を実行させるための受験プログラムを記録したコンピュータ読みとり可能な記録媒体。
【０２３９】
（付記１５）  通信手段を用い、受験者に対する試験を実施する試験実施装置において、
個々の設問内容を示す個別設問内容情報を格納する設問情報格納手段と、
前記設問情報格納手段から複数の前記個別設問内容情報を抽出する個別設問内容情報抽出手段と、
前記個別設問情報抽出手段において抽出された複数の前記個別設問内容情報に示される前記個々の設問内容によって構成され、前記個々の設問内容の出題順序が並び替えられた試験問題を生成する試験問題生成手段と、
前記試験問題生成手段において生成された前記試験問題を示す情報である試験問題情報を、通信手段を介し、前記受験者が利用する端末装置に送信し、送信した前記試験問題情報に示される前記試験問題の内容を、定められた試験開始時間以降においてのみ、前記端末装置に表示させる試験問題情報配信手段と、
前記試験問題情報配信手段において前記端末装置に表示させた前記試験問題の内容に対し、前記受験者によって、定められた試験時間内に入力された解答内容を示す解答内容情報を、通信手段を介して取得する解答内容情報取得手段と、
を有することを特徴とする試験実施装置。
【０２４０】
（付記１６）  通信手段を用いて行われる試験の受験に用いる端末装置において、
個々の設問内容を示す複数の個別設問内容情報が設問情報格納手段に格納されているシステム環境下で、前記設問情報格納手段から抽出された複数の前記個別設問内容情報に示される前記個々の設問内容によって構成され、前記個々の設問内容の出題順序が並び替えられた試験問題を示す試験問題情報を、通信手段を介して受信する試験問題情報取得手段と、
前記試験問題情報取得手段において受信された前記試験問題情報に示される前記試験問題の内容を、定められた試験開始時間以降においてのみ、表示させる試験問題情報表示手段と、
前記試験問題情報表示手段において表示させた前記試験問題の内容に対し、前記受験者によって、定められた試験時間内に入力された解答内容を示す解答内容情報を、通信手段を介して送信する解答内容情報送信手段と、
を有することを特徴とする端末装置。
【０２４１】
【発明の効果】
以上説明したように本発明の試験実施方法は、個々の設問内容を示す複数の個別設問内容情報が格納されている記録装置から複数の個別設問内容情報を抽出する個別設問内容情報抽出ステップと、個別設問情報抽出ステップにおいて抽出された複数の個別設問内容情報に示される個々の設問内容によって構成され、個々の設問内容の出題順序が並び替えられた試験問題を生成する試験問題生成ステップと、試験問題生成ステップにおいて生成された試験問題を示す情報である試験問題情報を、通信手段を介し、受験者が利用する端末装置に送信し、送信した試験問題情報に示される試験問題の内容を、定められた試験開始時間以降においてのみ、端末装置に表示させる試験問題情報配信ステップと、試験問題情報配信ステップにおいて端末装置に表示させた試験問題の内容に対し、受験者によって、定められた試験時間内に入力された解答内容を示す解答内容情報を、通信手段を介して取得する解答内容情報取得ステップと、を有することとしたため、受験中の学生の状況を監視することができない通信手段を用いた試験において、試験時における学生の不正を効果的に防止することが可能となる。
【０２４２】
また、本発明の試験実施方法において、受験者に関する秘密情報を、試験問題情報とともに、通信手段を介し、端末装置に送信し、送信した秘密情報の内容を、試験問題情報に示される内容とともに、端末装置に表示させることにより、受験中の学生の状況を監視することができない通信手段を用いた試験において、試験時における学生の不正を効果的に防止することが可能となる。
【図面の簡単な説明】
【図１】本形態における試験実施方法の概要を例示した概念図である。
【図２】試験実施システムの構成を例示した概念図である。
【図３】試験サーバのハードウェア構成を例示したブロック図である。
【図４】試験ＤＢサーバのハードウェア構成を例示したブロック図である。
【図５】大学ＤＢサーバのハードウェア構成を例示したブロック図である。
【図６】端末装置のハードウェア構成を例示したブロック図である。
【図７】試験実施システムのソフトウェア構成を例示した概念図である。
【図８】図３〜５に例示したハードウェアにおいて所定のプログラム（ソフトウェア）を実行させることにより、このハードウェアとソフトウェアとが協働した具体的手段によって構築される試験実施装置の処理機能を例示したブロック図である。
【図９】図８に例示した試験情報格納手段の詳細を例示した概念図である。
【図１０】図９に例示した試験日程管理情報格納手段に格納される試験日程管理情報のデータ構成を例示した概念図である。
【図１１】図９に例示した試験内容情報格納手段のデータ構成を例示した概念図である。
【図１２】図１１に例示した試験内容情報のデータ構成を例示した概念図である。
【図１３】図９に例示した設問情報格納手段のデータ構成を例示した概念図である。
【図１４】図１３に例示した設問情報のデータ構成を例示した概念図である。
【図１５】図９に例示した学生情報格納手段に格納される学生情報のデータ構成を例示した概念図である。
【図１６】図９に例示した受験情報格納手段に格納される受験情報のデータ構成を例示した概念図である。
【図１７】図９に例示した試験問題情報格納手段のデータ構成を例示した概念図である。
【図１８】図１７に例示した試験問題情報のデータ構成を例示した概念図である。
【図１９】図９に例示した答案情報格納手段のデータ構成を例示した概念図である。
【図２０】図１９に例示した答案情報のデータ構成を例示した概念図である。
【図２１】図９に例示した採点結果情報格納手段のデータ構成を例示した概念図である。
【図２２】図２１に例示した採点結果情報のデータ構成を例示した概念図である。
【図２３】図９に例示した試験結果情報格納手段のデータ構成を例示した概念図である。
【図２４】図２３に例示した試験結果情報のデータ構成を例示した概念図である。
【図２５】図６に例示したハードウェアにおいて所定のプログラム（ソフトウェア）を実行させることにより、このハードウェアとソフトウェアとが協働した具体的手段によって構築される端末装置の処理機能を例示したブロック図である。
【図２６】試験実施システムによって行われる試験実施方法の全体を説明するためのフローチャートである。
【図２７】図２６に例示したフローチャートのステップＳ１における処理の詳細を説明するためのフローチャートである。
【図２８】図２７に例示したフローチャートのステップＳ１５における処理の詳細を説明するためのフローチャートである。
【図２９】図２６に例示したフローチャートのステップＳ２における処理の詳細を説明するためのフローチャートである。
【図３０】図２６に例示したフローチャートのステップＳ２における処理の詳細を説明するためのフローチャートである。
【図３１】端末装置の試験問題情報表示手段において表示される秘密情報及び試験問題情報を有する試験問題表示画面を例示した図である。
【図３２】端末装置に表示させる正解内容を示す正解情報表示画面を例示した図である
【図３３】試験実施システムに対する端末装置のログイン可能時間と、ログアウト可能時間とを例示した概念図である。
【図３４】図２６に例示したフローチャートのステップＳ３における処理の詳細を説明するためのフローチャートである。
【符号の説明】
１  試験実施装置
１ａ  記録装置
２、３０〜６０  端末装置
３ａ〜３ｇ、２０３ａａ  個別設問内容情報
１０  試験実施システム
２０  試験実施装置
２０ａ  試験サーバ
２０ｂ  試験ＤＢサーバ
２０ｃ  大学ＤＢサーバ
２１  試験情報格納手段
２４ａ  個別設問内容情報抽出手段
２４ｂ  試験問題生成手段
２５ａ  接続制御手段
２６ａ  試験問題情報抽出手段
２６ｂ  試験問題情報配信手段
２７ａ  解答内容情報取得手段
２７ｂ  解答内容採点手段
２８ａ  設問正解率算出手段
２８ｂ  採点内容補正手段
２９  試験結果情報送信手段
３３  試験問題情報取得手段
３４  試験問題情報表示手段
３５  解答内容情報入力手段
３６  解答内容情報送信手段
３７  試験結果情報受信手段
３８  試験結果情報表示手段
【図１】
0003920051.tif 000002
【図２】
0003920051.tif 000003
【図３】
0003920051.tif 000004
【図４】
0003920051.tif 000005
【図５】
0003920051.tif 000006
【図６】
0003920051.tif 000007
【図７】
0003920051.tif 000008
【図８】
0003920051.tif 000009
【図９】
0003920051.tif 000010
【図１０】
0003920051.tif 000011
【図１１】
0003920051.tif 000012
【図１２】
0003920051.tif 000013
【図１３】
0003920051.tif 000014
【図１４】
0003920051.tif 000015
【図１５】
0003920051.tif 000016
【図１６】
0003920051.tif 000017
【図１７】
0003920051.tif 000018
【図１８】
0003920051.tif 000019
【図１９】
0003920051.tif 000020
【図２０】
0003920051.tif 000021
【図２１】
0003920051.tif 000022
【図２２】
0003920051.tif 000023
【図２３】
0003920051.tif 000024
【図２４】
0003920051.tif 000025
【図２５】
0003920051.tif 000026
【図２６】
0003920051.tif 000027
【図２７】
0003920051.tif 000028
【図２８】
0003920051.tif 000029
【図２９】
0003920051.tif 000030
【図３０】
0003920051.tif 000031
【図３１】
0003920051.tif 000032
【図３２】
0003920051.tif 000033
【図３３】
0003920051.tif 000034
【図３４】
0003920051.tif 000035